(57)【特許請求の範囲】
【請求項１】
キャリア検知多重アクセス（ＣＳＭＡ）を利用する媒体上で第１のワイヤレスデバイスから第２のワイヤレスデバイスにワイヤレスメッセージを送信する方法であって、前記第１のワイヤレスデバイスによって実行されるステップを備え、前記ステップは、
前記第２のワイヤレスデバイスが干渉の影響を受けるかどうかを決定することと、
前記第２のワイヤレスデバイスを、前記決定することに基づいて、多重パラメータの第１のセットと多重パラメータの第２のセットのうちの１つと関連付けることと、
前記第２のワイヤレスデバイスが関連付けられた多重パラメータの前記セットに基づいて、送信属性を調整することと、
前記調整された送信属性に基づいて前記第２のワイヤレスデバイスに少なくとも１つのメッセージを送信することと
を備え、前記送信することは、
前記第２のワイヤレスデバイスが干渉の影響を受ける場合、第１の反復時間期間の間に前記第２のワイヤレスデバイスに少なくとも１つのメッセージを送信することと、
前記第２のワイヤレスデバイスが干渉の影響を受けない場合、第２の反復時間期間の間に前記第２のワイヤレスデバイスに少なくとも１つのメッセージを送信することと
を備え、前記第１の反復時間期間および前記第２の反復時間期間の各々は、複数の時間期間の各時間期間を複数の期間に分割することによって取得され、前記第１の反復時間期間および前記第２の反復時間期間の各々は、複数の時間期間にわたって同じ順序で、同じ持続時間の期間に対応する、方法。
【請求項２】
前記第２のワイヤレスデバイスが干渉の影響を受けるかどうかについて前記決定することの根拠を、前記第１のワイヤレスデバイスから前記第２のワイヤレスデバイスまでの距離、前記第１のワイヤレスデバイスと第２のワイヤレスデバイスとの間の通信と関連付けられたネットワーク統計、および前記第１のワイヤレスデバイスと前記第２のワイヤレスデバイスとの間のワイヤレスリンクの条件またはトポロジーのうちの１つまたは複数に置くことをさらに備える、
請求項１に記載の方法。
【請求項３】
前記決定することの根拠を、パケット誤り率、前記第２のワイヤレスデバイスから受信されたメッセージの送信電力、および前記第２のワイヤレスデバイスの実際のまたは企てられたスループットのうちの１つまたは複数に置くことをさらに備える、
請求項２に記載の方法。
【請求項４】
前記決定することの根拠を、前記第２のワイヤレスデバイスの信号強度に置くことをさらに備える、
請求項２に記載の方法。
【請求項５】
第３のワイヤレスデバイスが干渉の影響を受ける場合、前記第１の反復時間期間の間に前記第３のワイヤレスデバイスに１つまたは複数のメッセージを送信することと、
前記第３のワイヤレスデバイスが干渉の影響を受けない場合、前記第２の反復時間期間の間に前記第３のワイヤレスデバイスに１つまたは複数のメッセージを送信することと
をさらに備える、請求項１に記載の方法。
【請求項６】
前記送信属性を調整した後、前記第２のワイヤレスデバイスとの通信をモニタすることと、
前記第２のワイヤレスデバイスを、前記モニタすることに基づいて多重パラメータの第３のセットと関連付けること、前記多重パラメータの第３のセットは、前記多重パラメータの第１のセットによって示される周波数帯域と異なる周波数帯域を示す、と
前記多重パラメータの第３のセットに基づいて送信属性を調整することと
を備える、請求項１に記載の方法。
【請求項７】
１つまたは複数のアクセスポイントとの通信に基づいて周波数スケジュールを決定することをさらに備え、前記さらに調整することは、少なくとも前記周波数スケジュールに基づき、前記周波数スケジュールは、反復時間期間または周波数帯域の数、反復時間期間または周波数帯域のサイズまたは持続時間、反復時間期間または周波数帯域のセットに対する時間基準のうちの１つまたは複数を示す、
請求項６に記載の方法。
【請求項８】
キャリア検知多重アクセス（ＣＳＭＡ）を利用する媒体上でワイヤレスデバイスにワイヤレスメッセージを送信するための装置であって、前記装置は、移動局であって、前記装置は、
前記ワイヤレスデバイスが干渉の影響を受けるかどうかを決定するための手段と、
前記ワイヤレスデバイスを、前記決定することに基づいて多重パラメータの第１のセットと多重パラメータの第２のセットのうちの１つと関連付けるための手段と、
前記ワイヤレスデバイスが関連付けられた多重パラメータの前記セットに基づいて、送信属性を調整するための手段と、
前記調整された送信属性に基づいて前記ワイヤレスデバイスにメッセージを送信するための手段と
を備え、前記送信するための手段は、
前記ワイヤレスデバイスが干渉の影響を受ける場合、第１の反復時間期間の間に前記ワイヤレスデバイスに少なくとも１つのメッセージを送信するための手段と、
前記ワイヤレスデバイスが干渉の影響を受けない場合、第２の反復時間期間の間に前記ワイヤレスデバイスに少なくとも１つのメッセージを送信するための手段と
を備え、前記第１のの反復時間期間および前記第２の反復時間期間の各々は、複数の時間期間の各時間期間を複数の期間に分割することによって取得され、前記第１の反復時間期間および前記第２の反復時間期間の各々は、複数の時間期間にわたって同じ順序で、同じ持続時間の期間に対応する、装置。
【請求項９】
前記ワイヤレスデバイスが干渉の影響を受けるかどうかを前記決定するための手段は、前記装置から前記ワイヤレスデバイスまでの距離、前記装置とワイヤレスデバイスとの間の通信と関連付けられたネットワーク統計、および前記装置と前記ワイヤレスデバイスとの間のワイヤレスリンクの条件またはトポロジーのより多くのうちの１つまたは複数に基づいて、前記ワイヤレスデバイスが干渉の影響を受けるかどうかを決定するように構成される、
請求項８に記載の装置。
【請求項１０】
前記ネットワーク統計は、パケット誤り率、前記ワイヤレスデバイスから受信されたメッセージの送信電力、および前記ワイヤレスデバイスの実際のまたは企てられたスループットのうちの１つまたは複数を備える、
請求項９に記載の装置。
【請求項１１】
前記ワイヤレスデバイスが干渉の影響を受けるかどうかを前記決定するための手段は、前記パケット誤り率が誤りしきい値を超える場合に前記ワイヤレスデバイスが干渉の影響を受けるものと決定するように構成される、
請求項１０に記載の装置。
【請求項１２】
前記ネットワーク統計は、前記ワイヤレスデバイスの信号強度を備える、
請求項９に記載の装置。
【請求項１３】
前記送信属性の調整の後、前記ワイヤレスデバイスとの通信をモニタするための手段と、
前記ワイヤレスデバイスを、前記モニタすることに基づいて多重パラメータの第３のセットと関連付けるための手段、前記多重パラメータの第３のセットは、前記多重パラメータの第１のセットによって示される周波数帯域と異なる周波数帯域を示す、と、
前記多重パラメータの第３のセットに基づいて送信属性を調整するための手段と
を備える、請求項８に記載の装置。
【請求項１４】
１つまたは複数のアクセスポイントとの通信に基づいて周波数スケジュールを決定するための手段をさらに備え、前記さらに調整するための手段は、少なくとも前記周波数スケジュールに基づき、前記周波数スケジュールは、反復時間期間または周波数帯域の数、反復時間期間または周波数帯域のサイズまたは持続時間、反復時間期間または周波数帯域のセットに対する時間基準のうちの１つまたは複数を示す、
請求項１３に記載の装置。
【請求項１５】
実行されたとき、プロセッサに、請求項１乃至７に記載のいずれか１項に記載の前記ステップに従う方法を実行させる命令を備える、コンピュータプログラム。
【発明の詳細な説明】
【技術分野】
【０００１】
[0001]本出願は、一般にワイヤレス通信に関し、より詳細には、密集したワイヤレス環境におけるワイヤレス通信のためのシステム、方法、およびデバイスに関する。
【背景技術】
【０００２】
[0002]多くの電気通信システムでは、いくつかの相互作用する空間的に分離されたデバイス間でメッセージを交換するために、通信ネットワークが使用される。ネットワークは、たとえば、メトロポリタンエリア、ローカルエリア、またはパーソナルエリアとすることができる地理的範囲によって分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークは、様々なネットワークノードおよびデバイスを相互接続するために使用される交換／経路指定技法によっても異なり（たとえば回路交換かパケット交換かなど）、送信に利用される物理媒体のタイプによっても異なり（たとえば有線かワイヤレスかなど）、使用される通信プロトコルのセットによっても異なる（たとえばインターネットプロトコルスーツか、ＳＯＮＥＴ（同期型光ネットワーク）か、イーサネット（登録商標）かなど）。
【０００３】
[0003]ワイヤレスネットワークは、ネットワーク要素がモバイルであり、したがって動的接続性の必要を有するときに、またはネットワークアーキテクチャが固定ではなくアドホックなトポロジーで形成される場合に、しばしば好適である。ワイヤレスネットワークは、無線、マイクロ波、赤外線、光などの周波数帯域内の電磁波を使用して非誘導伝搬モードでは、無形の物理媒体を利用する。ワイヤレスネットワークは、有利なことに、固定有線ネットワークと比較して、ユーザモビリティと迅速な現場配置とを容易にする。
【０００４】
[0004]しかしながら、多数のワイヤレスネットワークが、同じ建物の中、近くの建物の中、および／または同じ屋外エリアの中に存在することがある。多数のワイヤレスネットワークの普及は、（たとえば、各ワイヤレスネットワークが、同じエリアおよび／またはスペクトル内で動作しているので）干渉、低下したスループットを生じること、および／またはいくつかのデバイスの通信を妨げることがある。したがって、ワイヤレスネットワークが過密に存在するときに通信するための改善されたシステム、方法、およびデバイスが望まれる。
【発明の概要】
【０００５】
[0005]本発明のシステム、方法、およびデバイスは各々、いくつかの態様を有し、それらのうちのどの一つの態様もそれだけで本発明の望ましい属性を担うものではない。ここで、後記の特許請求の範囲によって表される本発明の範囲を限定することなく、いくつかの特徴について簡単に説明する。この説明を考慮した後、特に「発明を実施するための形態」と題されるセクションを読んだ後で、本発明の特徴が、ワイヤレスネットワーク中のアクセスポイントと局との間の改善された通信を含む利点をどのように提供するかが理解されよう。
【０００６】
[0006]開示する一態様は、密集したワイヤレス環境において第１のワイヤレスデバイスから第２のワイヤレスデバイスにワイヤレスメッセージを送信する方法である。方法は、第２のワイヤレスデバイスが干渉の影響を受けるかどうかを決定することと、決定することに基づいて送信属性を調整することと、調整された送信属性に基づいて第２のワイヤレスデバイスにメッセージを送信することとを含む。いくつかの態様では、送信属性を調整することは、第２のワイヤレスデバイスにメッセージを送信することに使用するための多重パラメータのセットを決定することを備える。いくつかの態様では、第２のワイヤレスデバイスが干渉の影響を受けるかどうかを決定することは、第１のワイヤレスデバイスから第２のワイヤレスデバイスまでの距離、第１のワイヤレスデバイスと第２のワイヤレスデバイスとの間の通信と関連付けられたネットワーク統計、および第１のワイヤレスデバイスと第２のワイヤレスデバイスとの間のワイヤレスリンクの条件またはトポロジーのより多くのうちの１つまたは複数に基づく。いくつかの態様では、ネットワーク統計は、パケット誤り率を備える。いくつかの態様では、第２のワイヤレスデバイスは、パケット誤り率が誤りしきい値を超える場合に干渉の影響を受けるものと決定される。いくつかの態様では、ネットワーク統計は、第２のワイヤレスデバイスの信号強度を備える。いくつかの態様では、第２のワイヤレスデバイスは、第２のワイヤレスデバイスの信号強度が強度しきい値を下回る場合に干渉の影響を受けるものと決定される。いくつかの態様では、方法は、第２のワイヤレスデバイスが干渉の影響を受ける場合に第１の反復時間期間の間に第２のワイヤレスデバイスに１つまたは複数のメッセージを送信することと、第２のワイヤレスデバイスが干渉の影響を受けない場合に第２の反復時間期間の間に第２のワイヤレスデバイスに１つまたは複数のメッセージを送信することとを含む。いくつかの態様では、方法はまた、第３のワイヤレスデバイスが干渉の影響を受ける場合に第１の反復時間期間の間に第３のワイヤレスデバイスに１つまたは複数のメッセージを送信することと、第３のワイヤレスデバイスが干渉の影響を受けない場合に第２の反復時間期間の間に第３のデバイスに１つまたは複数のメッセージを送信することとを含む。
【０００７】
[0007]いくつかの態様では、方法はまた、第１または第２の反復時間期間が発生するときを示すメッセージを、第２のワイヤレスデバイスに送信することを含む。いくつかの態様では、メッセージはブロードキャストされる。いくつかの態様では、メッセージは、第２のワイヤレスデバイスが干渉の影響を受ける場合に第２のワイヤレスデバイスに送信される。いくつかの態様では、インジケーションはビーコン間隔に基づく。いくつかの態様では、メッセージはビーコンメッセージである。
【０００８】
[0008]いくつかの態様では、第１または第２の時間期間のインジケーションは、ビーコンメッセージのタイミングに関連するものである。いくつかの態様では、方法はまた、第１または第２の反復時間期間が発生するときを示すメッセージを、アクセスポイントに送信することを含む。いくつかの態様では、方法はまた、第１または第２の反復時間期間を示すメッセージを、アクセスポイントから受信することを含む。いくつかの態様では、第１の数のアクセスポイントが第１の反復時間期間の間に通信し、第２の数のアクセスポイントが第２の反復時間期間の間に通信する。いくつかの態様では、第１の数は第２の数より小さい。いくつかの態様では、方法はまた第１の周波数帯域を決定することを含み、第１の反復時間期間の間に送信されるメッセージは第１の周波数帯域内で送信され、第３のアクセスポイントは第１の反復時間期間の間に第２の周波数帯域内で通信する。
【０００９】
[0009]いくつかの態様では、方法はまた、第１の周波数帯域について決定することが第１の周波数帯域をランダムに選択することを備えることを含む。いくつかの態様では、第１の周波数帯域について決定することは、第２のアクセスポイントとの通信に基づく。いくつかの態様では、方法はまた、第１の反復時間期間の間の通信を第１の周波数帯域に割り当てるメッセージを受信することを含み、決定することは受信されたメッセージに基づく。いくつかの態様では、第１の周波数帯域はプライマリチャネルに対応する。
【００１０】
[0010]いくつかの態様では、方法はまた、複数の候補反復時間期間を決定することと、複数の候補反復時間期間から第１の反復時間期間をランダムに選択することとを含む。いくつかの態様では、方法はまた、ネットワーク負荷に基づいて第１または第２の反復時間期間の持続時間を決定することを含む。いくつかの態様では、方法はまた、関連する局によるＭＣＳ０接続要求不成功の数に基づいて、第１または第２の反復時間期間の持続時間を決定することを含む。いくつかの態様では、方法はまた、送信属性を調整した後、第２のワイヤレスデバイスとの通信をモニタすることと、モニタすることに基づいて送信属性をさらに調整することとを含む。いくつかの態様では、送信属性をさらに調整することは、多重パラメータの第３のセットを選択することを備える。いくつかの態様では、多重パラメータの第１のセットによって示す第１の周波数帯域は、多重パラメータの第３のセットによって示される第２の周波数帯域とは異なる。いくつかの態様では、方法はまた、１つまたは複数のアクセスポイントとの通信に基づいて周波数スケジュールを決定することを含み、さらに調整することは、少なくとも周波数スケジュールに基づく。いくつかの態様では、周波数スケジュールは、反復時間期間または周波数帯域の数、反復時間期間または周波数帯域のサイズまたは持続時間、反復時間期間または周波数帯域のセットに対する時間基準のうちの１つまたは複数を示す。
【００１１】
[0011]開示する別の態様は、密集したワイヤレス環境において第１のワイヤレスデバイスから第２のワイヤレスデバイスにワイヤレスメッセージを送信するための装置である。装置は、第２のワイヤレスデバイスが干渉の影響を受けるかどうかを決定するように構成されたプロセッサと、決定することに基づいて送信属性を調整するように構成されたプロセッサと、調整された送信属性に基づいて第２のワイヤレスデバイスにメッセージを送信するように構成された送信機とを含む。いくつかの態様では、プロセッサは、第２のワイヤレスデバイスにメッセージを送信することに使用するための多重パラメータのセットを決定することによって、送信属性を調整するように構成される。
【００１２】
[0012]いくつかの態様では、プロセッサは、第１のワイヤレスデバイスから第２のワイヤレスデバイスまでの距離、第１のワイヤレスデバイスと第２のワイヤレスデバイスとの間の通信と関連付けられたネットワーク統計、および第１のワイヤレスデバイスと第２のワイヤレスデバイスとの間のワイヤレスリンクの条件またはトポロジーのより多くのうちの１つまたは複数に基づいて、第２のワイヤレスデバイスが干渉の影響を受けるかどうかを決定するように構成される。いくつかの態様では、ネットワーク統計は、パケット誤り率を備える。いくつかの態様では、プロセッサは、パケット誤り率が誤りしきい値を超える場合に第２のワイヤレスデバイスが干渉の影響を受けるものと決定するように構成される。いくつかの態様では、ネットワーク統計は、第２のワイヤレスデバイスの信号強度を備える。
【００１３】
[0013]いくつかの態様では、プロセッサは、信号強度が強度しきい値を下回る場合に第２のワイヤレスデバイスが干渉の影響を受けるものと決定するように構成される。いくつかの態様では、装置はまた、第２のワイヤレスデバイスが干渉の影響を受ける場合に第１の反復時間期間の間に第２のワイヤレスデバイスに１つまたは複数のメッセージを送信するように構成された送信機と、第２のワイヤレスデバイスが干渉の影響を受けない場合に第２の反復時間期間の間に第２のワイヤレスデバイスに１つまたは複数のメッセージを送信するように構成された送信機とを含む。
【００１４】
[0014]いくつかの態様では、装置はまた、第３のワイヤレスデバイスが干渉の影響を受ける場合に第１の反復時間期間の間に第３のワイヤレスデバイスに１つまたは複数のメッセージを送信するように構成された送信機と、第３のワイヤレスデバイスが干渉の影響を受けない場合に第２の反復時間期間の間に第３のデバイスに１つまたは複数のメッセージを送信するように構成された送信機とを含む。
【００１５】
[0015]いくつかの態様では、装置はまた、第１または第２の反復時間期間が発生するときを示すメッセージを、第２のワイヤレスデバイスに送信するように構成された送信機を含む。いくつかの態様では、メッセージはブロードキャストされる。いくつかの態様では、メッセージは、第２のワイヤレスデバイスが干渉の影響を受ける場合に第２のワイヤレスデバイスに送信される。いくつかの態様では、インジケーションはビーコン間隔に基づく。いくつかの態様では、メッセージはビーコンメッセージである。いくつかの態様では、第１または第２の時間期間のインジケーションは、ビーコンメッセージのタイミングに関連するものである。いくつかの態様では、装置はまた、第１または第２の反復時間期間が発生するときを示すメッセージを、アクセスポイントに送信するように構成された送信機を含む。いくつかの態様では、装置はまた、第１または第２の反復時間期間を示すメッセージを、アクセスポイントから受信するように構成された受信機を含む。いくつかの態様では、第１の数のアクセスポイントが第１の反復時間期間の間に通信し、第２の数のアクセスポイントが第２の反復時間期間の間に通信し、第１の数は第２の数より小さい。いくつかの態様では、装置はまた、第１の周波数帯域を決定するように構成されたプロセッサを含み、第１の反復時間期間の間に送信されるメッセージは第１の周波数帯域内で送信され、第３のアクセスポイントは第１の反復時間期間の間に第２の周波数帯域内で通信する。いくつかの態様では、プロセッサは、第１の周波数帯域をランダムに選択することによって第１の周波数帯域について決定するように構成される。いくつかの態様では、プロセッサは、第２のアクセスポイントとの通信に基づいて第１の周波数帯域を決定するように構成される。
【００１６】
[0016]いくつかの態様では、装置はまた、第１の反復時間期間の間の通信を第１の周波数帯域に割り当てるメッセージを受信するように構成された受信機を含み、プロセッサは、受信されたメッセージに基づいて周波数帯域を決定するように構成される。いくつかの態様では、第１の周波数帯域はプライマリチャネルに対応する。いくつかの態様では、装置はまた、複数の候補反復時間期間から第１の反復時間期間をランダムに選択するように構成されたプロセッサを含む。いくつかの態様では、装置はまた、ネットワーク負荷に基づいて第１または第２の反復時間期間の持続時間を決定するように構成されたプロセッサを含む。いくつかの態様では、装置はまた、関連する局によるＭＣＳ０接続要求不成功の数に基づいて、第１または第２の反復時間期間の持続時間を決定するように構成されたプロセッサを含む。
【００１７】
[0017]いくつかの態様では、装置はまた、送信属性の調整の後、第２のワイヤレスデバイスとの通信をモニタするように構成され、モニタすることに基づいて送信属性を調整するように構成されたプロセッサを含む。いくつかの態様では、送信属性を調整することは、多重パラメータの第３のセットを選択することを備える。
【００１８】
[0018]いくつかの態様では、多重パラメータの第１のセットによって示す第１の周波数帯域は、多重パラメータの第３のセットによって示される第２の周波数帯域とは異なる。いくつかの態様では、装置はまた、１つまたは複数のアクセスポイントとの通信に基づいて周波数スケジュールを決定するように構成されたプロセッサを含み、さらに調整することは、少なくとも周波数スケジュールに基づく。
【００１９】
[0019]いくつかの態様では、周波数スケジュールは、反復時間期間または周波数帯域の数、反復時間期間または周波数帯域のサイズまたは持続時間、反復時間期間または周波数帯域のセットに対する時間基準のうちの１つまたは複数を示す。
【００２０】
[0020]開示する別の態様は、密集したワイヤレス環境において第１のワイヤレスデバイスから第２のワイヤレスデバイスにワイヤレスメッセージを送信するための装置である。装置は、第２のワイヤレスデバイスが干渉の影響を受けるかどうかを決定するための手段と、決定することに基づいて送信属性を調整するための手段と、調整された送信属性に基づいて第２のワイヤレスデバイスにメッセージを送信するための手段とを含む。いくつかの態様では、送信属性を調整するための手段は、第２のワイヤレスデバイスが干渉の影響を受けるかどうかに基づいて第２のワイヤレスデバイスにメッセージを送信することに使用するために多重パラメータのセットを決定するように構成される。いくつかの態様では、第２のワイヤレスデバイスが干渉の影響を受けるかどうかを決定するための手段は、第１のワイヤレスデバイスから第２のワイヤレスデバイスまでの距離、第１のワイヤレスデバイスと第２のワイヤレスデバイスとの間の通信と関連付けられたネットワーク統計、および第１のワイヤレスデバイスと第２のワイヤレスデバイスとの間のワイヤレスリンクの条件またはトポロジーのより多くのうちの１つまたは複数に基づいて、第２のワイヤレスデバイスが干渉の影響を受けるかどうかを決定するように構成される。いくつかの態様では、ネットワーク統計は、パケット誤り率を備える。いくつかの態様では、第２のワイヤレスデバイスが干渉の影響を受けるかどうかを決定するための手段は、パケット誤り率が誤りしきい値を超える場合に第２のワイヤレスデバイスが干渉の影響を受けるものと決定するように構成される。いくつかの態様では、ネットワーク統計は、第２のワイヤレスデバイスの信号強度を備える。いくつかの態様では、第２のワイヤレスデバイスが干渉の影響を受けるかどうかを決定するための手段は、信号強度が強度しきい値を下回る場合に第２のワイヤレスデバイスが干渉の影響を受けるものと決定するように構成される。
【００２１】
[0021]いくつかの態様では、装置はまた、第２のワイヤレスデバイスが干渉の影響を受ける場合に第１の反復時間期間の間に第２のワイヤレスデバイスに１つまたは複数のメッセージを送信するための手段と、第２のワイヤレスデバイスが干渉の影響を受けない場合に第２の反復時間期間の間に第２のワイヤレスデバイスに１つまたは複数のメッセージを送信するための手段とを含む。
【００２２】
[0022]いくつかの態様では、装置はまた、第３のワイヤレスデバイスが干渉の影響を受ける場合に第１の反復時間期間の間に第３のワイヤレスデバイスに１つまたは複数のメッセージを送信するための手段と、第３のワイヤレスデバイスが干渉の影響を受けない場合に第２の反復時間期間の間に第３のデバイスに１つまたは複数のメッセージを送信するための手段とを含む。
【００２３】
[0023]いくつかの態様では、装置はまた、第１または第２の反復時間期間が発生するときを示すメッセージを、第２のワイヤレスデバイスに送信するための手段を含む。いくつかの態様では、メッセージはブロードキャストされる。いくつかの態様では、メッセージは、第２のワイヤレスデバイスが干渉の影響を受ける場合に第２のワイヤレスデバイスに送信される。いくつかの態様では、インジケーションはビーコン間隔に基づく。いくつかの態様では、メッセージはビーコンメッセージである。いくつかの態様では、第１または第２の時間期間のインジケーションは、ビーコンメッセージのタイミングに関連するものである。
【００２４】
[0024]いくつかの態様では、装置はまた、第１または第２の反復時間期間が発生するときを示すメッセージを、アクセスポイントに送信するための手段を含む。いくつかの態様では、装置はまた、第１または第２の反復時間期間を示すメッセージを、アクセスポイントから受信するための手段を含む。
【００２５】
[0025]いくつかの態様では、第１の数のアクセスポイントが第１の反復時間期間の間に通信し、第２の数のアクセスポイントが第２の反復時間期間の間に通信し、第１の数は第２の数より小さい。いくつかの態様では、装置はまた第１の周波数帯域を決定するための手段を含み、第１の反復時間期間の間に送信されるメッセージは第１の周波数帯域内で送信され、第３のアクセスポイントは第１の反復時間期間の間に第２の周波数帯域内で通信する。いくつかの態様では、第１の周波数帯域を決定するための手段は、第１の周波数帯域をランダムに選択するように構成される。いくつかの態様では、第１の周波数帯域を決定するための手段は、第２のアクセスポイントとの通信に基づいて第１の周波数帯域を決定するように構成される。いくつかの態様では、装置はまた、第１の反復時間期間の間の通信を第１の周波数帯域に割り当てるメッセージを受信するための手段を含み、決定することは受信されたメッセージに基づく。いくつかの態様では、第１の周波数帯域はプライマリチャネルに対応する。
【００２６】
[0026]いくつかの態様では、装置はまた、複数の候補反復時間期間を決定するための手段と、複数の候補反復時間期間から第１の反復時間期間をランダムに選択するための手段とを含む。いくつかの態様では、装置はまた、ネットワーク負荷に基づいて第１または第２の反復時間期間の持続時間を決定するための手段を含む。いくつかの態様では、装置はまた、関連する局によるＭＣＳ０接続要求不成功の数に基づいて、第１または第２の反復時間期間の持続時間を決定するための手段を含む。いくつかの態様では、装置はまた、送信属性の調整の後、第２のワイヤレスデバイスとの通信をモニタするための手段と、モニタすることに基づいて送信属性をさらに調整するための手段とを含む。
【００２７】
[0027]いくつかの態様では、送信属性をさらに調整するための手段は、多重パラメータの第３のセットを選択するように構成される。いくつかの態様では、多重パラメータの第１のセットによって示される第１の周波数帯域は、多重パラメータの第３のセットによって示される第２の周波数帯域とは異なる。いくつかの態様では、装置は、１つまたは複数のアクセスポイントとの通信に基づいて周波数スケジュールを決定するための手段を含み、さらに調整することは、少なくとも周波数スケジュールに基づく。いくつかの態様では、周波数スケジュールは、反復時間期間または周波数帯域の数、反復時間期間または周波数帯域のサイズまたは持続時間、反復時間期間または周波数帯域のセットに対する時間基準のうちの１つまたは複数を示す。
【００２８】
[0028]開示する別の態様は、実行されたとき、処理システムに、密集したワイヤレス環境において第１のワイヤレスデバイスから第２のワイヤレスデバイスにワイヤレスメッセージを送信する方法を実行させる命令を備えるコンピュータ可読記憶媒体である。方法は、第２のワイヤレスデバイスが干渉の影響を受けるかどうかを決定することと、決定することに基づいて送信属性を調整することと、調整された送信属性に基づいて第２のワイヤレスデバイスにメッセージを送信することとを含む。いくつかの態様では、送信属性を調整することは、第２のワイヤレスデバイスにメッセージを送信することに使用するために多重パラメータのセットを決定することを備える。いくつかの態様では、第２のワイヤレスデバイスが干渉の影響を受けるかどうかを決定することは、第１のワイヤレスデバイスから第２のワイヤレスデバイスまでの距離、第１のワイヤレスデバイスと第２のワイヤレスデバイスとの間の通信と関連付けられたネットワーク統計、および第１のワイヤレスデバイスと第２のワイヤレスデバイスとの間のワイヤレスリンクの条件またはトポロジーのより多くのうちの１つまたは複数に基づく。いくつかの態様では、ネットワーク統計は、パケット誤り率を備える。いくつかの態様では、第２のワイヤレスデバイスは、パケット誤り率が誤りしきい値を超える場合に干渉の影響を受けるものと決定される。いくつかの態様では、ネットワーク統計は、第２のワイヤレスデバイスの信号強度を備える。いくつかの態様では、第２のワイヤレスデバイスは、第２のワイヤレスデバイスの信号強度が強度しきい値を下回る場合に干渉の影響を受けるものと決定される。いくつかの態様では、方法は、第２のワイヤレスデバイスが干渉の影響を受ける場合に第１の反復時間期間の間に第２のワイヤレスデバイスに１つまたは複数のメッセージを送信することと、第２のワイヤレスデバイスが干渉の影響を受けない場合に第２の反復時間期間の間に第２のワイヤレスデバイスに１つまたは複数のメッセージを送信することとを含む。いくつかの態様では、方法はまた、第３のワイヤレスデバイスが干渉の影響を受ける場合に第１の反復時間期間の間に第３のワイヤレスデバイスに１つまたは複数のメッセージを送信することと、第３のワイヤレスデバイスが干渉の影響を受けない場合に第２の反復時間期間の間に第３のデバイスに１つまたは複数のメッセージを送信することとを含む。
【００２９】
[0029]いくつかの態様では、方法はまた、第１または第２の反復時間期間が発生するときを示すメッセージを、第２のワイヤレスデバイスに送信することを含む。いくつかの態様では、メッセージはブロードキャストされる。いくつかの態様では、メッセージは、第２のワイヤレスデバイスが干渉の影響を受ける場合に第２のワイヤレスデバイスに送信される。いくつかの態様では、インジケーションはビーコン間隔に基づく。いくつかの態様では、メッセージはビーコンメッセージである。
【００３０】
[0030]いくつかの態様では、第１または第２の時間期間のインジケーションは、ビーコンメッセージのタイミングに関連するものである。いくつかの態様では、方法はまた、第１または第２の反復時間期間が発生するときを示すメッセージを、アクセスポイントに送信することを含む。いくつかの態様では、方法はまた、第１または第２の反復時間期間を示すメッセージを、アクセスポイントから受信することを含む。いくつかの態様では、第１の数のアクセスポイントが第１の反復時間期間の間に通信し、第２の数のアクセスポイントが第２の反復時間期間の間に通信する。いくつかの態様では、第１の数は第２の数より小さい。いくつかの態様では、方法はまた第１の周波数帯域を決定することを含み、第１の反復時間期間の間に送信されるメッセージは第１の周波数帯域内で送信され、第３のアクセスポイントは第１の反復時間期間の間に第２の周波数帯域内で通信する。
【００３１】
[0031]いくつかの態様では、方法はまた、第１の周波数帯域について決定することが第１の周波数帯域をランダムに選択することを備えることを含む。いくつかの態様では、第１の周波数帯域について決定することは、第２のアクセスポイントとの通信に基づく。いくつかの態様では、方法はまた、第１の反復時間期間の間の通信を第１の周波数帯域に割り当てるメッセージを受信することを含み、決定することは受信されたメッセージに基づく。いくつかの態様では、第１の周波数帯域はプライマリチャネルに対応する。
【００３２】
[0032]いくつかの態様では、方法はまた、複数の候補反復時間期間を決定することと、複数の候補反復時間期間から第１の反復時間期間をランダムに選択することとを含む。いくつかの態様では、方法はまた、ネットワーク負荷に基づいて第１または第２の反復時間期間の持続時間を決定することを含む。いくつかの態様では、方法はまた、関連する局によるＭＣＳ０接続要求不成功の数に基づいて、第１または第２の反復時間期間の持続時間を決定することを含む。いくつかの態様では、方法はまた、送信属性の調整の後、第２のワイヤレスデバイスとの通信をモニタすることと、モニタすることに基づいて送信属性をさらに調整することとを含む。いくつかの態様では、送信属性をさらに調整することは、多重パラメータの第３のセットを選択することを備える。いくつかの態様では、多重パラメータの第１のセットによって示す第１の周波数帯域は、多重パラメータの第３のセットによって示される第２の周波数帯域とは異なる。いくつかの態様では、方法はまた、１つまたは複数のアクセスポイントとの通信に基づいて周波数スケジュールを決定することを含み、さらに調整することは、少なくとも周波数スケジュールに基づく。いくつかの態様では、周波数スケジュールは、反復時間期間または周波数帯域の数、反復時間期間または周波数帯域のサイズまたは持続時間、反復時間期間または周波数帯域のセットに対する時間基準のうちの１つまたは複数を示す。
【００３３】
[0033]開示する別の態様は、密集したネットワーク環境内で通信する方法である。方法は、コンテンション期間内に発生する第１の反復時間期間を示す第１のメッセージを受信することと、メッセージはアクセスポイントとの通信が第１の反復時間期間の間に発生することを示す；メッセージに基づいて第１の反復時間期間の間にアクセスポイントと通信することとを含む。いくつかの態様では、方法はまた、第１の周波数範囲を示し、アクセスポイントとの通信が第１の反復時間期間の第１の周波数範囲内で発生することを示す第２のメッセージを受信することを含み、アクセスポイントとの通信は、第２のメッセージに基づいて第１の反復時間期間の間および第１の周波数範囲内で発生する。いくつかの態様では、第１のメッセージおよび第２のメッセージは同じメッセージである。
【００３４】
[0034]開示する別の態様は、密集したワイヤレスネットワーク環境内で通信するための装置である。装置は、コンテンション期間内に発生する第１の反復時間期間を示す第１のメッセージを受信するように構成された受信機と、メッセージはアクセスポイントとの通信が第１の反復時間期間の間に発生することを示す；メッセージに基づいて第１の反復時間期間の間にアクセスポイントと通信するように構成された送信機とを含む。いくつかの態様では、装置はまた、第１の周波数範囲を示し、アクセスポイントとの通信が第１の反復時間期間の第１の周波数範囲内で発生することを示す第２のメッセージを受信するように構成された受信機を含み、送信機は、第２のメッセージに基づいて第１の反復時間期間の間および第１の周波数範囲内でアクセスポイントと通信するようにさらに構成される。いくつかの態様では、第１のメッセージおよび第２のメッセージは同じメッセージである。
【００３５】
[0035]開示する別の態様は、密集したワイヤレスネットワーク環境内で通信するための装置である。装置は、コンテンション期間内に発生する第１の反復時間期間を示す第１のメッセージを受信するための手段と、メッセージはアクセスポイントとの通信が第１の反復時間期間の間に発生することを示す；メッセージに基づいて第１の反復時間期間の間にアクセスポイントと通信するための手段とを含む。いくつかの態様では、装置はまた、第１の周波数範囲を示し、アクセスポイントとの通信が第１の反復時間期間の第１の周波数範囲内で発生することを示す第２のメッセージを受信するための手段を含み、送信するための手段は、第２のメッセージに基づいて第１の反復時間期間の間および第１の周波数範囲内でアクセスポイントと通信するようにさらに構成される。いくつかの態様では、第１のメッセージおよび第２のメッセージは同じメッセージである。
【００３６】
[0036]開示する別の態様は、実行されたとき、プロセッサに、密集したワイヤレスネットワーク環境内で通信する方法を実行させる命令を備えるコンピュータ可読記憶媒体である。方法は、コンテント期間内に発生する第１の反復時間期間を示す第１のメッセージを受信することと、メッセージはアクセスポイントとの通信が第１の反復時間期間の間に発生することを示す；メッセージに基づいて第１の反復時間期間の間にアクセスポイントと通信することとを含む。いくつかの態様では、方法はさらにまた、第１の周波数範囲を示し、アクセスポイントとの通信が第１の反復時間期間の第１の周波数範囲内で発生することを示す第２のメッセージを受信することを含み、アクセスポイントとの通信は、第１の反復時間期間の間および第１の周波数範囲内で発生する。いくつかの態様では、第１のメッセージおよび第２のメッセージは同じメッセージである。
【００３７】
[0037]開示する別の態様は、ワイヤレスデバイスが干渉の影響を受けるかどうかを決定する方法である。方法は、デバイスを介して１つまたは複数のパラメータを決定することと、パラメータは、パケット誤り率、ワイヤレスデバイスから受信された信号の強度、ワイヤレスデバイスから受信されたメッセージの送信電力、ワイヤレスデバイスの実際のスループットおよびワイヤレスデバイスの企てられたスループットを示すメトリック、ワイヤレスデバイスまでの送信距離を備える；１つまたは複数のパラメータに基づいてデバイスが干渉の影響を受けるかどうかを決定することとを含む。
【００３８】
[0038]開示する別の態様は、ワイヤレスデバイスが干渉の影響を受けるかどうかを決定するための装置である。装置は、デバイスを介して１つまたは複数のパラメータを決定するように構成されたプロセッサと、パラメータは、パケット誤り率、ワイヤレスデバイスから受信された信号の強度、ワイヤレスデバイスから受信されたメッセージの送信電力、ワイヤレスデバイスの実際のスループットおよびワイヤレスデバイスの企てられたスループットを示すメトリック、ワイヤレスデバイスまでの送信距離を備える；１つまたは複数のパラメータに基づいてデバイスが干渉の影響を受けるかどうかを決定するように構成されたプロセッサとを含む。
【００３９】
[0039]開示する別の態様は、ワイヤレスデバイスが干渉の影響を受けるかどうかを決定するための装置である。装置は、デバイスを介して１つまたは複数のパラメータを決定するための手段と、パラメータは、パケット誤り率、ワイヤレスデバイスから受信された信号の強度、ワイヤレスデバイスから受信されたメッセージの送信電力、ワイヤレスデバイスの実際のスループットおよびワイヤレスデバイスの企てられたスループットを示すメトリック、ワイヤレスデバイスまでの送信距離を備える；１つまたは複数のパラメータに基づいてデバイスが干渉の影響を受けるかどうかを決定するための手段とを含む。
【００４０】
[0040]開示する別の態様は、実行されたとき、プロセッサに、ワイヤレスデバイスが干渉の影響を受けるかどうかを決定する方法を実行させる命令を備えるコンピュータ可読記憶媒体である。方法は、デバイスを介して１つまたは複数のパラメータを決定することと、パラメータは、パケット誤り率、ワイヤレスデバイスから受信された信号の強度、ワイヤレスデバイスから受信されたメッセージの送信電力、ワイヤレスデバイスの実際のスループットおよびワイヤレスデバイスの企てられたスループットを示すメトリック、ワイヤレスデバイスまでの送信距離を備える；１つまたは複数のパラメータに基づいてデバイスが干渉の影響を受けるかどうかを決定することとを含む。
【００４１】
[0041]開示する別の態様は、ワイヤレスデバイスと通信するための多重パラメータを動的に決定する方法である。方法は、ワイヤレスデバイスが干渉の影響を受けるかどうかに基づいて多重パラメータの第１のセットを決定することと、多重パラメータの第１のセットに基づいてワイヤレスデバイスと通信することと、多重パラメータの第１のセットに基づく、ワイヤレスデバイスとの通信をモニタすることと、モニタすることに基づいて多重パラメータの第２のセットを決定することと、多重パラメータの第２のセットに基づいてワイヤレスデバイスと通信することとを含む。いくつかの態様では、多重パラメータの第１のセットによって示される第１の周波数帯域は、多重パラメータの第２のセットによって示される第２の周波数帯域とは異なる。いくつかの態様では、方法はまた、１つまたは複数のアクセスポイントまたはコントローラとの通信に基づいて周波数スケジュールを決定することを含み、多重パラメータの第２のセットは少なくとも周波数スケジュールに基づく。いくつかの態様では、周波数スケジュールは、反復時間期間または周波数帯域の数、反復時間期間または周波数帯域のサイズまたは持続時間、反復時間期間または周波数帯域のセットに対する時間基準のうちの１つまたは複数を示す。
【００４２】
[0042]開示する別の態様は、ワイヤレスデバイスと通信するための多重パラメータを動的に決定するための装置である。装置は、ワイヤレスデバイスが干渉の影響を受けるかどうかに基づいて多重パラメータの第１のセットを決定するように構成されたプロセッサと、多重パラメータの第１のセットに基づいてワイヤレスデバイスと通信するように構成されたトランシーバと、多重パラメータの第１のセットを使用してワイヤレスデバイスとの通信をモニタするように構成されたプロセッサと、モニタすることに基づいて多重パラメータの第２のセットを使用してワイヤレスデバイスと通信するように構成されたトランシーバとを含む。いくつかの態様では、多重パラメータの第１のセットによって示される第１の周波数帯域は、多重パラメータの第２のセットによって示される第２の周波数帯域とは異なる。いくつかの態様では、装置はまた、１つまたは複数のアクセスポイントまたはコントローラとの通信に基づいて周波数スケジュールを決定するように構成されたプロセッサを含み、多重パラメータの第２のセットは、少なくとも周波数スケジュールに基づく。いくつかの態様では、周波数スケジュールは、反復時間期間または周波数帯域の数、反復時間期間または周波数帯域のサイズまたは持続時間、反復時間期間または周波数帯域のセットに対する時間基準のうちの１つまたは複数を示す。
【００４３】
[0043]開示する別の態様は、ワイヤレスデバイスと通信するための多重パラメータを動的に決定するための装置である。装置は、ワイヤレスデバイスが干渉の影響を受けるかどうかに基づいて多重パラメータの第１のセットを決定するための手段と、多重パラメータの第１のセットに基づいてワイヤレスデバイスと通信するための手段と、多重パラメータの第１のセットを使用してワイヤレスデバイスとの通信をモニタするための手段と、モニタすることに基づいて多重パラメータの第２のセットを使用してワイヤレスデバイスと通信するための手段とを含む。いくつかの態様では、多重パラメータの第１のセットによって示される第１の周波数帯域は、多重パラメータの第２のセットによって示される第２の周波数帯域とは異なる。いくつかの態様では、装置はまた、１つまたは複数のアクセスポイントまたはコントローラとの通信に基づいて周波数スケジュールを決定するための手段を含み、多重パラメータの第２のセットは少なくとも周波数スケジュールに基づく。いくつかの態様では、周波数スケジュールは、反復時間期間または周波数帯域の数、反復時間期間または周波数帯域のサイズまたは持続時間、反復時間期間または周波数帯域のセットに対する時間基準のうちの１つまたは複数を示す。
【００４４】
[0044]開示する別の態様は、実行されたとき、１つまたは複数のプロセッサに、ワイヤレスデバイスと通信するために多重パラメータを動的に決定する方法を実行させる命令を備えるコンピュータ可読記憶媒体である。方法は、ワイヤレスデバイスが干渉の影響を受けるかどうかに基づいて多重パラメータの第１のセットを決定することと、多重パラメータの第１のセットに基づいてワイヤレスデバイスと通信することと、多重パラメータの第１のセットを使用してワイヤレスデバイスとの通信をモニタすることと、モニタすることに基づいて多重パラメータの第２のセットを使用してワイヤレスデバイスと通信することとを含む。いくつかの態様では、多重パラメータの第１のセットによって示される第１の周波数帯域は、多重パラメータの第２のセットによって示される第２の周波数帯域とは異なる。いくつかの態様では、方法は、１つまたは複数のアクセスポイントまたはコントローラとの通信に基づいて周波数スケジュールを決定することをさらに備え、多重パラメータの第２のセットは少なくとも周波数スケジュールに基づく。いくつかの態様では、周波数スケジュールは、反復時間期間または周波数帯域の数、反復時間期間または周波数帯域のサイズまたは持続時間、反復時間期間または周波数帯域のセットに対する時間基準のうちの１つまたは複数を示す。
【図面の簡単な説明】
【００４５】
【図１】本開示の態様が利用され得る例示的なワイヤレス通信システムを示す図。
【図２Ａ】多数のワイヤレス通信ネットワークが存在するワイヤレス通信システムを示す図。
【図２Ｂ】多数のワイヤレス通信ネットワークが存在する別のワイヤレス通信システムを示す図。
【図３】図１および図２Ｂのワイヤレス通信システム内で利用され得る周波数多重化技法を示す図。
【図４】図１、図２Ｂおよび図３のワイヤレス通信システム内で利用され得る例示的なワイヤレスデバイスの機能ブロック図。
【図５Ａ】図１、図２Ｂおよび図３のワイヤレス通信システム内で利用され得る空間分割多重化法の例示的な一実装形態を示す図。
【図５Ｂ】密集したワイヤレス環境において第１のワイヤレスデバイスから第２のワイヤレスデバイスにワイヤレスメッセージを送信するためのプロセスのフローチャート。
【図５Ｃ】図１、図２Ｂおよび図３のワイヤレス通信システム内で利用され得るワイヤレス通信装置に対する機能ブロック図。
【図６Ａ】図１、図２Ｂおよび図３のワイヤレス通信システム内で利用され得る時分割多重化法の例示的な一実装形態を示す図。
【図６Ｂ】密集したワイヤレスネットワーク上で通信するために時分割多重化を使用する一例を示す図。
【図６Ｃ】図１、図２Ｂおよび図３のワイヤレス通信システム内で利用され得る時分割多重化法の例示的な一実装形態を示す図。
【図７Ａ】密集したワイヤレス環境において第１のワイヤレスデバイスから第２のワイヤレスデバイスにワイヤレスメッセージを送信するためのプロセスのフローチャート。
【図７Ｂ】密集したワイヤレス環境において第１のワイヤレスデバイスから第２のワイヤレスデバイスにワイヤレスメッセージを送信するためのプロセスのフローチャート。
【図７Ｃ】図１、図２Ｂおよび図３のワイヤレス通信システム内で利用され得るワイヤレス通信装置に対する機能ブロック図。
【図７Ｄ】デバイスが干渉の影響を受けるかどうかを決定するためのプロセスのフローチャート。
【図７Ｅ】空間分割多重化、時分割多重化、または周波数分割多重化のうちの１つまたは複数の組合せを使用してアクセスポイントと局との間のメッセージ交換を示すシーケンス図。
【図７Ｆ】多重パラメータを示すメッセージに対する例示的なメッセージフォーマット。
【図７Ｇ】ワイヤレスデバイスと通信するための多重パラメータを動的に決定する方法のフローチャート。
【図７Ｈ】ワイヤレス通信装置に対する機能ブロック図。
【図８Ａ】密集したワイヤレス環境において第１のワイヤレスデバイスから第２のワイヤレスデバイスにワイヤレスメッセージを送信するためのプロセスのフローチャート。
【図８Ｂ】図１、図２Ｂおよび図３のワイヤレス通信システム内で利用され得るワイヤレス通信装置に対する機能ブロック図。
【図９Ａ】密集したワイヤレス環境において第１のワイヤレスデバイスから第２のワイヤレスデバイスにワイヤレスメッセージを送信するためのプロセスのフローチャート。
【図９Ｂ】図１、図２Ｂおよび図３のワイヤレス通信システム内で利用され得るワイヤレス通信装置の機能ブロック図。
【発明を実施するための形態】
【００４６】
[0068]添付の図面を参照して、新規のシステム、装置、および方法の様々な態様が以下でより十分に説明される。しかしながら、本開示は、多くの異なる形態で具現化されることが可能であり、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の任意の他の態様とは無関係に実装されるにせよ、または本発明の任意の他の態様と組み合わされるにせよ、本明細書で開示する新規のシステム、装置、および方法のいかなる態様をも包含するものであることを、当業者なら諒解されるべきである。たとえば、本明細書で述べられる任意の数の態様を使用して装置が実装されてよく、または方法が実施されてもよい。加えて、本発明の範囲は、本明細書で述べられる本発明の様々な態様に加えて、またはそれ以外の、他の構造、機能性、または構造および機能性を使用して実施されるそのような装置または方法を包含することを意図する。本明細書で開示する任意の態様は、特許請求の範囲の１つまたは複数の要素により具現化されてもよいことを理解されるべきである。
【００４７】
[0069]特定の態様が本明細書で説明されるが、これらの態様の多くの変形および置換が開示の範囲に入る。好ましい態様のいくつかの利益および利点が述べられるけれども、本開示の範囲は、特定の利点、使用、または目的に限定されることを意図しない。むしろ、本開示の態様は、異なるワイヤレス技術、システム構成、ネットワーク、および伝送プロトコルに、広範囲に適用できることが意図され、これらのうちのいくつかは、図面および好ましい態様の以下の説明で、例として示される。発明を実施するための形態および図面は、限定的なものではなく、本開示を説明するものにすぎず、本開示の範囲は、添付の特許請求の範囲およびその均等物によって規定される。
【００４８】
[0070]普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを利用して、近くのデバイスを一緒に相互接続するために使用され得る。本明細書で説明される様々な態様は、ワイヤレスプロトコルなどの任意の通信規格に適用され得る。
【００４９】
[0071]いくつかの態様では、ワイヤレス信号は、直交周波数分割多重（ＯＦＤＭ）、直接シーケンススペクトル拡散（ＤＳＳＳ）通信、ＯＦＤＭとＤＳＳＳ通信との組合せ、または他の方式を使用して、高効率８０２．１１プロトコルに従って伝送され得る。高効率８０２．１１プロトコルの実装形態は、インターネットアクセス、センサ、メータリング、スマートグリッドネットワーク、または他のワイヤレスアプリケーションのために使用され得る。有利なことに、本明細書で開示する技法を使用して高効率８０２．１１プロトコルを実装するいくつかのデバイスの態様は、同じエリア内で増加したピアツーピアサービス（たとえば、ミラキャスト（Miracast）、ＷｉＦｉ（登録商標）ダイレクトサービス（WiFi Direct（登録商標） Service）、ソーシャルＷｉＦｉ（Social WiFi（登録商標））など）を可能にすること、増加したユーザごとの最小スループット要求をサポートすること、より多くのユーザをサポートすること、改善された屋外カバレージおよびロバスト性を提供すること、ならびに／または他のワイヤレスプロトコルを実装するデバイスより少ない電力を消費することを含み得る。
【００５０】
[0072]いくつかの実施態様では、ＷＬＡＮは、このワイヤレスネットワークにアクセスする構成要素である様々なデバイスを含む。たとえば、アクセスポイント（「ＡＰ」）およびクライアント（局または「ＳＴＡ」とも呼ばれる）の２つのタイプのデバイスが存在し得る。一般に、ＡＰはＷＬＡＮのためのハブまたは基地局として機能することができ、ＳＴＡはＷＬＡＮのユーザとして機能する。たとえば、ＳＴＡはラップトップコンピュータ、携帯情報端末（ＰＤＡ）、携帯電話などであり得る。一例では、ＳＴＡは、インターネットまたは他のワイドエリアネットワークへの一般的接続性を得るためにＷｉＦｉ（たとえば、ＩＥＥＥ  ８０２．１１プロトコル）準拠ワイヤレスリンクを介してＡＰに接続する。いくつかの実施態様では、ＳＴＡは、ＡＰとしても使用され得る。
【００５１】
[0073]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、もしくは何らかの他の用語を備え、そのようなものとして実装され、またはそのようなものとして知られ得る。
【００５２】
[0074]局「ＳＴＡ」はまた、アクセス端末（「ＡＴ」）、加入者局、加入者ユニット、移動局、遠隔局、遠隔端末、ユーザ端末、ユーザエージェント、ユーザデバイス、ユーザ機器、または何らかの他の用語を備え、そのようなものとして実装され、またはそのようなものとして知られ得る。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示する１つまたは複数の態様は、電話（たとえば、セルラーフォンもしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれる場合がある。
【００５３】
[0075]上記で説明したように、本明細書で説明するデバイスのいくつかは、たとえば、高効率８０２．１１規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサへの応用を実現し得る、またはホームオートメーションで使用され得る。デバイスは、代わりにまたは加えて、たとえば個人の健康管理のために、健康管理の状況において使用され得る。これらのデバイスは、長距離のインターネット接続性（たとえばホットスポットで使用される）を可能にする、または機械間通信を実施するための、監視にも使用され得る。
【００５４】
[0076]図１に、本開示の態様が利用され得る例示的なワイヤレス通信システム１００を示す。ワイヤレス通信システム１００は、ワイヤレス規格、たとえば高効率８０２．１１規格に従って動作することができる。ワイヤレス通信システム１００は、ＳＴＡ１０６と通信するＡＰ１０４を含み得る。
【００５５】
[0077]様々な処理および方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送受信される場合がある。この場合、ワイヤレス通信システム１００は、ＯＦＤＭ／ＯＦＤＭＡシステムと呼ばれ得る。代替的に、信号は、符号分割多元接続（ＣＤＭＡ）技法に従って、ＡＰ１０４とＳＴＡ１０６との間で送受信され得る。この場合、ワイヤレス通信システム１００は、ＣＤＭＡシステムと呼ばれ得る。
【００５６】
[0078]ＡＰ１０４からＳＴＡ１０６のうちの１つまたは複数への送信を容易にする通信リンクはダウンリンク（ＤＬ）１０８と呼ばれる場合があり、ＳＴＡ１０６のうちの１つまたは複数からＡＰ１０４への送信を容易にする通信リンクはアップリンク（ＵＬ）１１０と呼ばれる場合がある。代替として、ダウンリンク１０８は順方向リンクまたは順方向チャネルと呼ばれる場合があり、アップリンク１１０は逆方向リンクまたは逆方向チャネルと呼ばれる場合がある。
【００５７】
[0079]ＡＰ１０４は、基地局として働き、基本サービスエリア（ＢＳＡ）１０２においてワイヤレス通信カバレージを提供することができる。ＡＰ１０４は、ＡＰ１０４に関連付けられ、また通信のためにＡＰ１０４を使用する、ＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることを留意されるべきである。したがって、本明細書に記載されるＡＰ１０４の機能は、代替として、ＳＴＡ１０６のうちの１つまたは複数によって実行され得る。
【００５８】
[0080]いくつかの態様では、ＳＴＡ１０６は、ＡＰ１０４に通信を送信し、および／またはＡＰ１０４から通信を受信するために、ＡＰ１０４と関連付けることが必要とされ得る。一態様では、関連付けるための情報は、ＡＰ１０４によるブロードキャストに含まれる。そのようなブロードキャストを受信するために、ＳＴＡ１０６は、たとえば、カバレージ領域にわたって広範なカバレージ探索を実行することができる。探索はまた、たとえば、灯台方式でカバレージ領域をスイープすることによって、ＳＴＡ１０６により実行され得る。関連付けるための情報を受信した後、ＳＴＡ１０６は、関連付け調査または要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００５９】
[0081]一実施形態では、ＡＰ１０４は、ＡＰ高効率ワイヤレス構成要素（ＨＥＷＣ）１５４を含む。ＡＰ  ＨＥＷＣ１５４は、高効率８０２．１１プロトコルを使用してＡＰ１０４とＳＴＡ１０６との間の通信を可能にするために、本明細書で説明する動作の一部または全部を実行し得る。ＡＰ  ＨＥＷＣ１５４のいくつかの実装形態の機能は、図２Ｂ、図３、図４および図７Ｂに関して以下でより詳細に説明される。
【００６０】
[0082]代替的にまたは追加として、ＳＡＴ１０６は、ＳＴＡ  ＨＥＷＣ１５６を含み得る。ＳＴＡ  ＨＥＷＣ１５６は、高効率８０２．１１プロトコルを使用してＳＴＡ１０６とＡＰ１０４との間の通信を可能にするために、本明細書で説明する動作の一部または全部を実行し得る。ＳＴＡ  ＨＥＷＣ１５６のいくつかの実装形態の機能は、図２Ｂ、図３、図４、図８Ｂおよび図１０Ｂに関して以下でより詳細に説明される。
【００６１】
[0083]いくつかの状況では、ＢＳＡは、他のＢＳＡの近くに配置され得る。たとえば、図２Ａは、多数のワイヤレス通信ネットワークが存在するワイヤレス通信システム２００を示す。図２Ａに示すように、ＢＳＡ２０２Ａ、２０２Ｂおよび２０２Ｃは、互いの近くに物理的に配置され得る。ＢＳＡ２０２Ａ〜２０２Ｃは極近傍にあるにもかかわらず、ＡＰ２０４Ａ〜２０４Ｃ、および／またはＳＴＡ２０６Ａ〜２０６Ｈは、それぞれ、同じスペクトルを使用して通信することがある。したがって、ＢＳＡ２０２Ｃ内のデバイス（たとえば、ＡＰ２０４Ｃ）がデータを送信中である場合、ＢＳＡ２０２Ｃの外部のデバイス（たとえば、ＡＰ２０４Ａ〜２０４ＢまたはＳＴＡ２０６Ａ〜２０６Ｆ）は、媒体上の通信を検知し得る。
【００６２】
[0084]一般に、標準の８０２．１１プロトコル（たとえば、８０２．１１ａ、８０２．１１ｂ、８０２．１１ｇ、８０２．１１ｎなど）を使用するワイヤレスネットワークは、媒体アクセスに対するキャリア検知多重アクセス（ＣＳＭＡ）メカニズムの下で動作する。ＣＳＭＡによれば、デバイスは、媒体を検知し、媒体がアイドル状態であると検知されるときだけ送信する。したがって、ＡＰ２０４Ａ〜２０４Ｃおよび／またはＳＴＡ２０６Ａ〜２０６ＨがＣＳＭＡメカニズムに従って動作中であり、ＢＳＡ２０２Ｃ内のデバイス（たとえば、ＡＰ２０４Ｃ）がデータを送信中である場合、ＢＳＡ２０２Ｃの外部のＡＰ２０４Ａ〜２０４Ｂおよび／またはＳＴＡ２０６Ａ〜２０６Ｆは、それらが異なるＢＳＡの部分であるとしても、媒体を介して送信しなくてよい。
【００６３】
[0085]図２Ａは、そのような状態を示す。図２Ａに示すように、ＡＰ２０４Ｃは、媒体を介して送信中である。送信は、ＡＰ２０４Ｃと同じＢＳＡ２０２Ｃ内にあるＳＴＡ２０６Ｇによって、およびＡＰ２０４Ｃと異なるＢＳＡ内にあるＳＴＡ２０６Ａによって検知される。送信は、ＳＴＡ２０６Ｇおよび／またはＢＳＡ２０２Ｃ内のＳＴＡだけにアドレス指定され得るが、それにもかかわらず、ＳＴＡ２０６Ａは、ＡＰ２０４Ｃ（および任意の他のデバイス）が媒体上でもはや送信しなくなるまで、（たとえば、ＡＰ２０４ＡへまたはＡＰ２０４Ａから）通信を送信または受信することはできない。図示しないが、（たとえば、ＡＰ２０４Ｃによる送信がより強くて、他のＳＴＡが媒体上の送信を検知し得るような場合、）ＢＳＡ２０２Ｂ内のＳＴＡ２０６Ｄ〜２０６Ｆ、および／またはＢＳＡ２０２Ａ内のＳＴＡ２０６Ｂ〜２０６Ｃにも、同じことが同様に当てはまることがある。
【００６４】
[0086]次いで、ＢＳＡの外部のいくつかのＡＰまたはＳＴＡは、ＢＳＡ内のＡＰまたはＳＴＡによって行われる送信と干渉することなくデータを送信することができるので、ＣＳＭＡメカニズムの使用は非効率を生じる。アクティブなワイヤレスデバイスの数は増大し続けているので、この非効率は、ネットワークの待ち時間およびスループットに大きく影響を及ぼし始めている。たとえば、重大なネットワーク待ち時間問題は、各住戸がアクセスポイントと関連する局とを含み得る集合住宅の中で現れることがある。実際、入居者がワイヤレスルータ、ワイヤレスメディアセンター機能を有するビデオゲームコンソール、ワイヤレスメディアセンター機能を有するテレビジョン、パーソナルホットスポットのように作動可能な携帯電話などを所有することがあるので、各住戸は多数のアクセスポイントを含むことがある。次いで、ＣＳＭＡメカニズムの非効率を是正することは、待ち時間およびスループット問題ならびに全体的なユーザの不満を解消するために不可欠であり得る。
【００６５】
[0087]そのような待ち時間およびスループット問題は、居住地域に限定されるものではない。たとえば、多数のアクセスポイントが、空港、地下鉄の駅、および／または人が密集した他の公共空間に配置されることがある。最近、ＷｉＦｉアクセスが、これらの公共空間において有料で提供されることがある。ＣＳＭＡメカニズムによって生じた非効率が是正されない場合、料金および低いサービス品質がいかなる利益も上回り始めるにつれて、ワイヤレスネットワークの事業者は顧客を失う可能性がある。
【００６６】
[0088]したがって、本明細書で説明する高効率８０２．１１プロトコルは、これらの非効率を最小化してネットワークスループットを増大させる修正されたメカニズムの下でデバイスが動作することを可能にし得る。そのようなメカニズムは、図２Ｂ、図３および図４に関して以下で説明される。高効率８０２．１１プロトコルの追加の態様が、図５〜図１０Ｂに関して以下で説明される。
【００６７】
[0089]図２Ｂは、多数のワイヤレス通信ネットワークが存在するワイヤレス通信システム２５０を示す。図２Ａのワイヤレス通信システム２００とは異なり、ワイヤレス通信システム２５０は、本明細書で説明する高効率８０２．１１規格に従って動作し得る。ワイヤレス通信システム２５０は、ＡＰ２５４Ａと、ＡＰ２５４Ｂと、ＡＰ２５４Ｃとを含み得る。ＡＰ２５４ＡはＳＴＡ２５６Ａ〜２５６Ｃと通信し、ＡＰ２５４ＢはＳＴＡ２５６Ｄ〜２５６Ｆと通信し、ＡＰ２５４ＣはＳＴＡ２５６Ｇ〜２５６Ｈと通信することができる。
【００６８】
[0090]多様なプロセスおよび方法が、ＡＰ２５４Ａ〜２５４ＣとＳＴＡ２５６Ａ〜２５６Ｈとの間のワイヤレス通信システム２５０における送信に使用され得る。たとえば、信号は、ＯＦＤＭ／ＯＦＤＭＡ技法またはＣＤＭＡ技法に従ってＡＰ２５４Ａ〜２５４ＣとＳＴＡ２５６Ａ〜２５６Ｈとの間で送受信され得る。
【００６９】
[0091]ＡＰ２５４Ａは基地局として働き、ＢＳＡ２５２Ａにおいてワイヤレス通信カバレージを提供することができる。ＡＰ２５４Ｂは基地局として働き、ＢＳＡ２５２Ｂにおいてワイヤレス通信カバレージを提供することができる。ＡＰ２５４Ｃは基地局として働き、ＢＳＡ２５２Ｃにおいてワイヤレス通信カバレージを提供することができる。ＢＳＡ２５２Ａ、２５２Ｂおよび／または２５２Ｃの各々は、中央のＡＰ２５４Ａ、２５４Ｂまたは２５４Ｃを有するのではなく、むしろＳＴＡ２５６Ａ〜２５６Ｈのうちの１つまたは複数の間のピアツーピア通信を可能にし得ることに留意されるべきである。したがって、本明細書で説明するＡＰ２５４Ａ〜２５４Ｃの機能は、代替として、ＳＴＡ２５６Ａ〜２５６Ｈのうちの１つまたは複数によって実行され得る。
【００７０】
[0092]一実施形態では、ＡＰ２５４Ａ〜２５４Ｃおよび／またはＳＴＡ２５６Ａ〜２５６Ｈは、高効率ワイヤレス構成要素を含む。本明細書で説明するように、高効率ワイヤレス構成要素は、高効率８０２．１１プロトコルを使用してＡＰとＳＴＡとの間の通信を可能にし得る。詳細には、高効率ワイヤレス構成要素は、ＡＰ２５４Ａ〜２５４Ｃおよび／またはＳＴＡ２５６Ａ〜２５６Ｈが、ＣＳＭＡメカニズムの非効率を最小化する修正されたメカニズムを使用することを可能にし得る（たとえば、干渉が発生しない状況において媒体を介する同時通信を可能にする）。高効率ワイヤレス構成要素は、図４に関して以下でより詳細に説明される。
【００７１】
[0093]図２Ｂに示すように、ＢＳＡ２５２Ａ〜２５２Ｃは、互いの近くに物理的に配置される。たとえば、ＡＰ２５４ＡおよびＳＴＡ２５６Ｂが互いに通信中であるとき、通信は、ＢＳＡ２５２Ｂ〜２５２Ｃ内の他のデバイスによって検知され得る。しかしながら、通信は、ＳＴＡ２５６Ｆおよび／またはＳＴＡ２５６Ｇなど、いくつかのデバイスとだけ干渉する可能性がある。ＣＳＭＡの下では、ＡＰ２５４ＢがＳＴＡ２５６Ｅと通信することは、たとえそのような通信がＡＰ２５４ＡとＳＴＡ２５６Ｂとの間の通信と干渉しないとしても、許可されないことになる。したがって、高効率８０２．１１プロトコルは、同時に通信可能なデバイスと同時に通信不可能なデバイスとの間を区別する、修正されたメカニズムの下で動作する。デバイスのそのような分類は、ＡＰ２５４Ａ〜２５４Ｃおよび／またはＳＴＡ２５６Ａ〜２５６Ｈにおける高効率ワイヤレス構成要素によって実行され得る。
【００７２】
[0094]一実施形態では、デバイスが他のデバイスと同時に通信し得るかどうかの決定は、デバイスのロケーションに基づく。たとえば、ＢＳＡの縁部近くに位置するＳＴＡは、他のデバイスと同時に通信し得ないような状態または条件にあることがある。図２Ｂに示すように、ＳＴＡ２０６Ａ、２０６Ｆおよび２０６Ｇは、それらが他のデバイスと同時に通信し得ない状態または条件にあるデバイスであることがある。同様に、ＢＳＡの中心付近に位置するＳＴＡは、他のデバイスと通信し得るような状態または条件にあり得る。図２Ｂに示すように、ＳＴＡ２０６Ｂ、２０６Ｃ、２０６Ｄ、２０６Ｅおよび２０６Ｈは、それらが他のデバイスと同時に通信し得る状態または条件にあるデバイスであり得る。デバイスの分類は恒久不変でないことに留意されたい。デバイスは、それらが同時に通信し得るような状態または条件にあることと、それらが同時に通信し得ないような状態または条件にあることとの間を移行し得る（たとえば、デバイスは、動いているとき、新しいＡＰと関連付けられたとき、関連を解かれたときなどに、状態または条件を変えることがある）。
【００７３】
[0095]さらに、デバイスは、それらが、他のデバイスと同時に通信するための状態または条件にあるデバイスであるか否かに基づいて、異なる挙動をするように構成され得る。たとえば、同時に通信し得るような状態または条件にあるデバイスは、同じスペクトル内で同時に通信し得る。しかしながら、同時に通信し得ないような状態または条件にあるデバイスは、媒体を介して通信するために、空間多重化または周波数領域多重化など、いくつかの技法を利用することがある。デバイスの挙動の制御は、ＡＰ２５４Ａ〜２５４Ｃおよび／またはＳＴＡ２５６Ａ〜２５６Ｈにおいて高効率ワイヤレス構成要素によって実行され得る。
【００７４】
[0096]一実施形態では、同時に通信し得ないような状態または条件にあるデバイスは、媒体を介して通信するために空間多重化技法を使用する。たとえば、電力および／または他の情報は、別のデバイスによって送信されたパケットのプリアンブル内に埋め込まれ得る。同時に通信し得ないような状態または条件にあるデバイスは、パケットが媒体上で検知されるとプリアンブルを分析し、送信するかどうかをルールのセットに基づいて決定することができる。
【００７５】
[0097]別の実施形態では、同時に通信し得ないような状態または条件にあるデバイスは、媒体を介して通信するために周波数領域多重化技法を使用する。図３は、図１のワイヤレス通信システム１００および図２Ｂのワイヤレス通信システム２５０内で利用され得る周波数多重化技法を示す。図３に示すように、ＡＰ３０４Ａ、３０４Ｂ、３０４Ｃおよび３０４Ｄは、ワイヤレス通信システム３００内に存在し得る。ＡＰ３０４Ａ、３０４Ｂ、３０４Ｃおよび３０４Ｄの各々は、異なるＢＳＡと関連付けられてよく、本明細書で説明する高効率ワイヤレス構成要素を含む。
【００７６】
[0098]一例として、通信媒体の帯域幅は８０ＭＨｚであり得る。標準の８０２．１１プロトコルの下で、ＡＰ３０４Ａ、３０４Ｂ、３０４Ｃおよび３０４Ｄの各々ならびに各それぞれのＡＰと関連付けられＳＴＡは、全帯域幅を使用して通信することを試行し、それはスループットを低下させることがある。しかしながら、周波数領域多重化を使用して高効率８０２．１１プロトコルの下では、帯域幅は、図３に示すように、４つの２０ＭＨｚセグメント３０８、３１０、３１２および３１４（たとえば、チャネル）に分割され得る。ＡＰ３０４Ａはセグメント３０８と関連付けられ得、ＡＰ３０４Ｂはセグメント３１０と関連付けられ得、ＡＰ３０４Ｃはセグメント３１２と関連付けられ得、ＡＰ３０４Ｄはセグメント３１４と関連付けられ得る。
【００７７】
[0099]一実施形態では、ＡＰ３０４Ａ〜３０４Ｄ、および他のデバイスと同時に通信し得るような状態または条件にあるＳＴＡ（たとえば、ＢＳＡの中心付近のＳＴＡ）が互いに通信中であるとき、次いでＡＰ３０４Ａ〜３０４Ｄの各々およびこれらのＳＴＡの各々は、８０ＭＨｚの媒体の一部または全部を使用して通信し得る。しかしながら、ＡＰ３０４Ａ〜３０４Ｄ、および他のデバイスと同時に通信し得ないような状態または条件にあるＳＴＡ（たとえば、ＢＳＡの縁部付近のＳＴＡ）が互いに通信中であるとき、次いでＡＰ３０４ＡおよびそのＳＴＡは２０ＭＨｚセグメント３０８を使用して通信し、ＡＰ３０４ＢおよびそのＳＴＡは２０ＭＨｚセグメント３１０を使用して通信し、ＡＰ３０４ＣおよびそのＳＴＡは２０ＭＨｚセグメント３１２を使用して通信し、ＡＰ３０４ＤおよびそのＳＴＡは２０ＭＨｚセグメント３１４を使用して通信する。セグメント３０８、３１０、３１２および３１４は、通信媒体の異なる部分であり、第１のセグメントを使用する第１の送信は、第２のセグメントを使用する第２の送信と干渉しないことになる。
【００７８】
[00100]したがって、高効率ワイヤレス構成要素を含むＡＰおよび／またはＳＴＡは、たとえそれらが他のデバイスと同時に通信し得ないような状態または条件にあっても、干渉することなく他のＡＰおよびＳＴＡと同時に通信し得る。したがって、ワイヤレス通信システム３００のスループットは、増大され得る。集合住宅または人が密集した公共空間の場合、高効率ワイヤレス構成要素を使用するＡＰおよび／またはＳＴＡは、アクティブなワイヤレスデバイスの数が増大するときでも、低減された待ち時間と増大したネットワークスループットとを体験し得、それによりユーザエクスペリエンスを改善する。
【００７９】
[00101]図４は、図１、図２Ｂおよび図３のワイヤレス通信システム１００、２５０および／または３００内で利用され得るワイヤレスデバイス４０２の例示的な機能ブロック図を示す。ワイヤレスデバイス４０２は、本明細書で説明する様々な方法を実装するように構成され得るデバイスの一例である。たとえば、ワイヤレスデバイス４０２は、ＡＰ１０４、ＳＴＡ１０６のうちの１つ、ＡＰ２５４のうちの１つ、ＳＴＡ２５６のうちの１つ、および／またはＡＰ３０４のうちの１つを備え得る。
【００８０】
[00102]ワイヤレスデバイス４０２は、ワイヤレスデバイス４０２の動作を制御するプロセッサ４０４を含み得る。プロセッサ４０４は、中央処理装置（ＣＰＵ）と呼ばれることもある。読取り専用メモリ（ＲＯＭ）とランダムアクセスメモリ（ＲＡＭ）の両方を含み得るメモリ４０６は、命令とデータとをプロセッサ４０４に提供することができる。メモリ４０６の一部はまた、不揮発性ランダムアクセスメモリ（ＮＶＲＡＭ）を含み得る。プロセッサ４０４は、通常、メモリ４０６内に記憶されたプログラム命令に基づいて、論理演算と算術演算とを実行する。メモリ４０６内の命令は、本明細書に記載される方法を実装するように実行可能であり得る。
【００８１】
[00103]プロセッサ４０４は、１つまたは複数のプロセッサによって実装された処理システムを備えてよく、またはその構成要素であってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別のハードウェア構成要素、専用のハードウェア有限状態機械、または、情報の計算または他の操作を実行することができる任意の他の適切なエンティティの任意の組合せによって実装され得る。
【００８２】
[00104]処理システムはまた、ソフトウェアを記憶するための機械可読媒体を含み得る。ソフトウェアは、ソフトウェア、ファームウェア、ミドルウェア、マイクロコード、ハードウェア記述言語、またはその他と称されようと、任意のタイプの命令を意味するものと広義に解釈されるべきである。命令は、コード（たとえば、ソースコード形式、バイナリコード形式、実行可能コード形式、または任意の他の適切なコードの形式にある）を含み得る。命令は、１つまたは複数のプロセッサによって実行されたとき、本明細書で説明する様々な機能を処理システムに実行させる。
【００８３】
[00105]ワイヤレスデバイス４０２はまた、ワイヤレスデバイス４０２と遠隔ロケーションとの間のデータの送受信を可能にするために送信機４１０および／または受信機４１２を含み得る、ハウジング４０８を含み得る。送信機４１０および受信機４１２は、トランシーバ４１４へと組み合わされ得る。アンテナ４１６は、ハウジング４０８に取り付けられ、トランシーバ４１４に電気的に結合され得る。ワイヤレスデバイス４０２は、多数の送信機、多数の受信機、多数のトランシーバ、および／または多数のアンテナも含み得る（図示せず）。
【００８４】
[00106]ワイヤレスデバイス４０２は、トランシーバ４１４によって受信された信号のレベルを検出し、定量化するために使用され得る、信号検出器４１８も含み得る。信号検出器４１８は、総エネルギー、シンボルごとのサブキャリア当たりのエネルギー、電力スペクトル密度、および他の信号などの信号を検出し得る。ワイヤレスデバイス４０２は、信号の処理に使用されるデジタル信号プロセッサ（ＤＳＰ）４２０も含み得る。ＤＳＰ４２０は、送信のためのパケットを生成するように構成され得る。いくつかの態様では、パケットは物理レイヤデータユニット（ＰＰＤＵ）を備え得る。
【００８５】
[00107]いくつかの態様では、ワイヤレスデバイス４０２はさらに、ユーザインターフェース４２２を備え得る。ユーザインターフェース４２２は、キーパッド、マイクロフォン、スピーカ、および／またはディスプレイを備える場合がある。ユーザインターフェース４２２は、ワイヤレスデバイス４０２のユーザに情報を伝えるおよび／またはユーザからの入力を受信する、任意の要素または構成要素を含み得る。
【００８６】
[00108]いくつかの態様では、ワイヤレスデバイス４０２は、高効率ワイヤレス構成要素４２４をさらに備え得る。高効率ワイヤレス構成要素４２４は、分類器ユニット４２８と送信制御ユニット４３０とを含み得る。本明細書で説明するように、高効率ワイヤレス構成要素４２４は、ＡＰおよび／またはＳＴＡが、ＣＳＭＡメカニズムの非効率を最小化する修正されたメカニズムを使用することを可能にし得る（たとえば、干渉が発生しない状況において媒体を介する同時通信を可能にする）。
【００８７】
[00109]修正されたメカニズムは、分類器ユニット４２８および送信制御ユニット４３０によって実装され得る。一実施形態では、分類器ユニット４２８は、どのデバイスが他のデバイスと同時に通信し得るような状態または条件にあるか、およびどのデバイスが他のデバイスと同時に通信し得ないような状態または条件にあるかを決定する。一実施形態では、送信制御ユニット４３０は、デバイスの挙動を制御する。たとえば、送信制御ユニット４３０は、いくつかのデバイスが同じ媒体上で同時に送信することを可能にし、他のデバイスが空間多重化技法または周波数領域多重化技法を使用して送信することを可能にすることができる。送信制御ユニット４３０は、分類器ユニット４２８によって行われた決定に基づいてデバイスの挙動を制御し得る。
【００８８】
[00110]ワイヤレスデバイス４０２の様々な構成要素は、バスシステム４２６によって一緒に結合され得る。バスシステム４２６は、たとえば、データバス、ならびに、データバスに加えて、電力バスと、制御信号バスと、ステータス信号バスとを含み得る。ワイヤレスデバイス４０２の構成要素は、何らかの他のメカニズムを使用して、一緒に結合され得るか、または互いに対する入力を受け入れ、または提供し得ることを当業者は諒解されよう。
【００８９】
[00111]図４には、いくつかの別個の構成要素が示されているが、構成要素のうちの１つまたは複数が組み合わされ得るかまたは共通に実装され得ることを当業者は認識されよう。たとえば、プロセッサ４０４は、プロセッサ４０４に関して上記で説明した機能を実施するためだけでなく、信号検出器４１８および／またはＤＳＰ４２０に関連して上記で説明した機能を実施するためにも、使用され得る。さらに、図４に示す構成要素の各々は、複数の別個の要素を使用して実装され得る。
【００９０】
[00112]ワイヤレスデバイス４０２は、ＡＰ１０４、ＳＴＡ１０６、ＡＰ２５４、ＳＴＡ２５６および／またはＡＰ３０４を備え、通信を送信および／または受信するために使用することができる。すなわち、ＡＰ１０４、ＳＴＡ１０６、ＡＰ２５４、ＳＴＡ２５６またはＡＰ３０４のいずれかが、送信機または受信機のデバイスとして働くことができる。いくつかの態様は、信号検出器４１８が、送信機または受信機の存在を検出するために、メモリ４０６およびプロセッサ４０４上で動作しているソフトウェアによって使用されることを企図する。
【００９１】
[00113]図５Ａは、図１、図２Ｂおよび図３のワイヤレス通信システム内で利用され得る空間分割多重化法５００の例示的な一実装形態を示す。図５Ａは、３つの局５０６Ａ〜５０６Ｃと通信しているアクセスポイント５０４Ａを示す。いくつかの態様では、ＡＰ５０４Ａの、３つの局５０６Ａ〜５０６Ｃとの通信は、２つの多重化グループ５０２ａおよび５０２ｂに編成され得る。たとえば、多重化グループ５０２ａ〜５０２ｂは、ＡＰ５０４Ａによって利用される時分割多重化方式において２つの異なる反復タイムスロットを表し得る。別の態様では、多重化グループ５０２ａ〜５０２ｂは、ＡＰ５０４Ａによって利用される周波数分割多重化方式において２つの異なる周波数範囲を表し得る。別の態様では、周波数分割多重化がＡＰ５０４Ａによって利用される時分割多重化方式内で使用されるとき、多重化グループ５０２ａ〜５０２ｂは、特定の反復時間期間内で２つの異なる周波数範囲を表し得る。
【００９２】
[00114]別の態様では、多重化グループ５０２Ａ〜５０２Ｂは、ビームフォーミングまたは選択的アンテナ送信の使用によって、多重化グループの各々の中のワイヤレスデバイスに実装され得る。
【００９３】
[00115]ＡＰ５０４Ａは、局５０６Ａ〜５０６Ｃのうちのどれが多重化グループ５０２ａ〜５０２ｂの各々に属するかを、１つまたは複数のパラメータに基づいて決定し得る。いくつかの態様では、局５０６Ａ〜５０６Ｃは、これらの局との通信の、干渉に対する感受性に基づいてグループ分けされ得る。たとえば、局５０６Ａ〜５０６Ｃのグループ分けは、局５０６Ａ〜５０６Ｃの各々とＡＰ５０４Ａとの間のネットワーク通信の測定値に基づくことができる。別の態様では、しきい値より大きいパケット誤り率を経験している局がグループ５０２ａ内に置かれる一方で、しきい値より低いパケット誤り率を経験している局はグループ５０２ｂ内に置かれ得る。いくつかの態様では、ＡＰ５０４Ａは、ＡＰ５０４ＡとＳＴＡ５０６Ａ〜５０６Ｃの各々との間の物理的距離を決定し得る。これらの態様では、局のグループ分けは、決定された物理的距離に基づくことができる。いくつかの態様では、ＳＴＡ５０６Ａ〜５０６Ｃのグループ分けは、ＡＰ５０４ＡとＳＴＡ５０６Ａ〜５０６Ｃとの間のリンクの条件またはトポロジーの他の属性に基づくことができる。いくつかの態様では、ＳＴＡ５０６Ａ〜５０６Ｃのグループ分けは、ＳＴＡ５０６Ａ〜５０６ＣとＡＰ５０４Ａとの間で交換されたインジケーション、および／またはＡＰ５０４Ａと他のＡＰ（図示せず）との間で交換されたインジケーションに基づくことができる。ＡＰ間のインジケーションは、オーバージエアでまたはＡＰ間のバックホールリンクを介して交換され得る。いくつかの態様では、局のグループ分けは、上記で説明した要因の任意の組合せに基づくことができる。
【００９４】
[00116]図５Ｂは、密集したワイヤレス環境において第１のワイヤレスデバイスから第２のワイヤレスデバイスにワイヤレスメッセージを送信するためのプロセスのフローチャートである。一態様では、密集したワイヤレス環境は、図２Ｂに示す通信システム２５０を含み得る。一態様では、プロセス５０１は、図４に示すワイヤレスデバイス４０２によって実行され得る。
【００９５】
[00117]ブロック５１２において、ワイヤレスデバイスが干渉の影響を受けるかどうかに関して決定がなされる。いくつかの態様では、決定は、ネットワークの動作中に実行される測定に基づくことができる。たとえば、いくつかの態様では、ワイヤレスデバイスが誤りしきい値より大きいパケット誤り率を有する場合、ワイヤレスデバイスは干渉の影響を受けるものと決定され得る。ワイヤレスデバイスとの通信が誤りしきい値より小さいパケット誤り率を有する場合、ワイヤレスデバイスは干渉の影響を受けないものと決定され得る。
【００９６】
[00118]別の態様では、決定は、送信機とワイヤレスデバイスとの間の通信経路の１つまたは複数の属性に基づくことができる。たとえば、送信機とワイヤレスデバイスとの間のリンクの条件またはトポロジーは、決定の一部と見なされてよい。いくつかの態様では、送信機とワイヤレスデバイスとの間の物理的な距離が、決定され得る。いくつかの態様では、物理的な距離は、ワイヤレスデバイスの物理的な位置と、アクセスポイントなどの送信機の物理的な位置とに基づいて決定され得る。いくつかの他の態様では、物理的な距離は、アクセスポイントによって受信されるときのワイヤレスデバイスの送信信号強度など、他の情報によって推論され得る。これらの態様では、ワイヤレスデバイスが干渉の影響を受けるかどうかは、送信機と受信機との間の物理的な距離に基づくことができる。たとえば、物理的な距離が距離しきい値より大きい場合、デバイスは、干渉の影響を受けるものと決定され得る。同様に、デバイスが、送信機からしきい値の距離より小さい距離にある場合、デバイスは、干渉の影響を受けないものと決定され得る。
【００９７】
[00119]いくつかの態様では、ワイヤレスデバイスが干渉の影響を受けるかどうかは、１つまたは複数の局とアクセスポイントとの間で交換されたインジケーションに基づくことができる。たとえば、一態様では、局は、他の局および／または他のアクセスポイントの、受信信号強度表示（ＲＳＳＩ）インジケーションなどの信号強度測定値を、関連するアクセスポイントに報告することができる。次いで、関連するアクセスポイントは、報告された測定値に基づいて局が干渉の影響を受けるかどうかを決定し得る。いくつかの態様では、これらのインジケーションのうちの１つまたは複数は、１つまたは複数のワイヤレスメッセージの中のアクセスポイントによって受信され得る。いくつかの態様では、これらのインジケーションのうちの１つまたは複数は、バックホールネットワーク接続など、有線ネットワーク接続を介して受信され得る。
【００９８】
[00120]ブロック５１４において、送信属性は、ワイヤレスデバイスが干渉の影響を受けるかどうかの決定に基づいて調整される。たとえば、一態様では、干渉の影響を受けるデバイスとの通信は、第１の反復時間期間および／または周波数範囲において実行され得る一方、干渉の影響を受けないデバイスとの通信は、第２の反復時間期間および／または周波数範囲において実行され得る。いくつかの態様では、干渉の影響を受けるデバイスとの通信は、ビームフォーミングパラメータまたはアンテナの第１のセットを使用して実行され得る一方、干渉の影響を受けないデバイスとの通信は、ビームフォーミングパラメータまたはアンテナの第２のセットを使用して実行される。いくつかの態様では、ＴＤＭ、ＦＤＭおよび空間多重パラメータの組合せは、干渉の影響を受けるデバイスと干渉の影響を受けないデバイスとの間で通信を区別するために使用され得る。
【００９９】
[00121]キャリア検知メディアアクセス（ＣＳＭＡ）を利用するネットワークにおいて、ＣＳＭＡは、ワイヤレスデバイスにメッセージを送信するときに使用され得る。ワイヤレスデバイスが干渉の影響を受けない場合、送信属性に対する調整は実行されないことがある。言い換えれば、いくつかの態様では、ＣＳＭＡ送信属性のデフォルトまたは標準のセットが、ワイヤレスデバイスにメッセージを送信するときに使用され得る。いくつかの他の態様では、ＣＳＭＡ規格に準拠しない発展型繰り延べルール（advanced deferral rule）が守られることがある。
【０１００】
[00122]空間多重化、時分割多重化、または周波数分割多重化のうちの１つまたは複数がワイヤレスデバイスと通信するために使用されるとき、いくつかの態様では、標準ＣＳＭＡ繰り延べルールが、たとえば反復時間期間または周波数範囲内でメディアアクセスを提供するために利用され得る。いくつかの他の態様では、知られているＣＳＭＡ規格に準拠しない発展型繰り延べルールは、たとえば、反復時間期間または周波数範囲内でメディアアクセスを容易にするために使用され得る。
【０１０１】
[00123]ブロック５１６において、メッセージは、調整された送信属性に基づいてワイヤレスデバイスに送信される。
【０１０２】
[00124]図５Ｃは、ワイヤレス通信装置のための機能ブロック図を示す。ワイヤレス通信装置が図４に示す簡略化されたワイヤレス通信装置４０２よりも多くの構成要素を有し得ることを当業者は諒解されよう。図示されたワイヤレス通信装置５５０は、特許請求の範囲内の実装形態のいくつかの顕著な特徴について説明するために有用なそれらの構成要素のみを含む。ワイヤレス通信装置５５０は、干渉決定回路５５２および／または低減された干渉の送信回路５５４を含み得る。
【０１０３】
[00125]いくつかの実装形態では、干渉決定回路５５２は、ブロック５１２に関して上記で説明した機能のうちの１つまたは複数を実行するように構成され得る。干渉決定回路５５２は、プログラマブルチップ、プロセッサ、メモリ、およびネットワークインターフェースのうちの１つまたは複数を含み得る。たとえば、干渉決定回路は、プロセッサ４０４を含み得る。いくつかの実装形態では、ワイヤレスデバイスが干渉の影響を受けるかどうかを決定するための手段は、干渉決定回路５５２を含み得る。
【０１０４】
[00126]いくつかの実装形態では、低減された干渉の送信回路５５４は、ブロック５１４および／または５１６に関して上記で説明した１つまたは複数の機能を実行するように構成され得る。低減された干渉の送信回路５５４は、プログラマブルチップ、プロセッサ、メモリ、およびネットワークインターフェースのうちの１つまたは複数を含み得る。たとえば、低減された干渉の送信回路５５４は、送信機４１０を含み得る。いくつかの実装形態では、調整された送信属性に基づいてワイヤレスデバイスにメッセージを送信するための手段は、低減された干渉の送信回路５５４を含み得る。いくつかの態様では、ワイヤレスデバイスが干渉の影響を受けるかどうかの決定に基づいて送信属性を調整するための手段は、低減された干渉の送信回路５５４を含み得る。
【０１０５】
[00127]図６Ａは、図２Ｂのワイヤレス通信システム２５０内で利用され得る時分割多重化法の例示的な一実装形態を示す。図６Ａは、縦寸法における時間６０８を示す。時間６０８の一部が、時間期間６０８ａ〜６０８ｄにセグメント化されて示されている。各時間期間６０８ａ〜６０８ｄは、別の一連の反復時間期間にさらに分割される。たとえば、時間セグメント６０８ａは、時間セグメント６１０ａ、６１２ａ、６１４ａ、６１６ａおよび６１８ａに分割される。同様に、時間セグメント６０８ｂは、時間セグメント６１０ｂ、６１２ｂ、６１４ｂ、６１６ｂおよび６１８ｂに分割される。図示の例では、時間期間６０８ａ〜６０８ｄに対する分割は繰り返しパターンにならい、それにより、各々の時間期間６０８ａ〜６０８ｄ内の時間の割り振りは、反復パターンと同様であるかまたはそれを表す。たとえば、時間期間６０８ａ〜６０８ｄの各々は、時間期間６１０、６１２、６１４、６１６および６１８に分割され、各々は、時間期間６０８ａ〜６０８ｄにわたって同じ順序で、同じ持続時間の期間に対応する。
【０１０６】
[00128]図６Ａはまた、４つのアクセスポイント、６０４Ａ〜６０４Ｄを示す。いくつかの態様では、アクセスポイント６０４Ａ〜６０４Ｄのいずれかが、その他のアクセスポイントのうちの１つによる通信と潜在的に干渉する送信を生成することがある。たとえば、アクセスポイント６０４Ａから第１のモバイルデバイスへの送信は、アクセスポイント６０４Ｂと第２のモバイルデバイスとの間の通信と潜在的に干渉することがある。
【０１０７】
[00129]時間期間６０８ａ〜６０８ｄの各々は、反復時間期間６１０ａ〜６１０ｄ、６１２ａ〜６１２ｄ、６１４ａ〜６１４ｄ、６１６ａ〜６１６ｄおよび６１８ａ〜６１８ｄに分割される。いくつかの態様では、いくつかのアクセスポイントおよび／またはモバイルデバイスは、これらの反復時間期間のうちの１つまたは複数の間に送信することを禁止されることがある。たとえば、いくつかの態様では、アクセスポイント６０４Ａ〜６０４Ｄは、反復時間期間６１０ａ〜６１０ｄ、６１２ａ〜６１２ｄ、６１４ａ〜６１４ｄ、６１６ａ〜６１６ｄおよび６１８ａ〜６１８ｄの各々の間にどのアクセスポイントが通信を送信または実行し得るかを決定するために、アクセスポイント自体の間で協調することができる。いくつかの他の態様では、アクセスポイント６０４Ａ〜６０４Ｄの各々は、別のアクセスポイントと情報を交換することなく通信するために、反復時間期間６１０ａ〜６１０ｄ、６１２ａ〜６１２ｄ、６１４ａ〜６１４ｄ、６１６ａ〜６１６ｄおよび６１８ａ〜６１８ｄのうちのどれを使用するかを決定し得る。いくつかの態様では、この決定は、１つまたは複数の局からのインジケーションに基づいて、および／または各アクセスポイントによって収集されたネットワーク統計に基づいて行われ得る。いくつかの態様では、各アクセスポイントは、通信のために、反復時間期間６１０ａ〜６１０ｄ、６１２ａ〜６１２ｄ、６１４ａ〜６１４ｄ、６１６ａ〜６１６ｄおよび６１８ａ〜６１８ｄの各々のうちの１つまたは複数をランダムに選定し得る。
【０１０８】
[00130]いくつかの態様では、１つまたは複数の反復時間期間が、アクセスポイントおよび／またはモバイルデバイスのすべてによる使用のために確保されることがある。一態様では、アクセスポイント６０４Ａ〜６０４Ｄは、反復時間期間６１８ａ〜６１８ｄの間に１つまたは複数のワイヤレスデバイスと自由にワイヤレスメッセージを交換することができる。時間期間６１８の間に、デバイスは、他のワイヤレスデバイスとの通信を実行するために、キャリア検知メディアアクセスと衝突検出とを利用することを継続し得る。それらのアクセスポイントとの通信している多数のアクセスポイントおよびモバイルデバイスは、反復時間期間６１８ａ〜６１８ｄの間に送信し得るので、この反復時間期間の間の送信は、より干渉の影響を受けやすいことがある。反復時間期間６１８ａ〜６１８ｄの間に第１のアクセスポイントからメッセージを受信するモバイルデバイスは、第２のアクセスポイントからの送信によって干渉されることがある。同様に、反復時間期間６１８ａ〜６１８ｄの間に第１のアクセスポイントに送信するモバイルデバイスは、第２のアクセスポイントまたは第２のモバイルデバイスのいずれかからの送信によって干渉されることがある。反復時間期間６１８ａ〜６１８ｄの間にモバイルデバイスが干渉の影響を受けるかどうかは、その送信電力、モバイルデバイスが通信しているアクセスポイントに対するその物理的なロケーション、モバイルデバイスが通信していない別のアクセスポイントに対するその物理的なロケーション、またはこれらおよび他の要因の組合せのうちの１つまたは複数に基づくことができる。
【０１０９】
[00131]いくつかの態様では、１つまたは複数の反復時間期間が、アクセスポイントの独占的使用のために確保されることがある。いくつかの態様では、アクセスポイントは、１つまたは複数の反復時間期間の独占的使用を持たないが、これらの特定の反復時間期間を使用するアクセスポイントの数は、いくつかの他の反復時間期間に対して縮小されることがある。したがって、これらの１つまたは複数の反復時間期間は、より多くのアクセスポイントおよび／またはモバイルデバイスが送信しているいくつかの他の反復時間期間より低減された干渉のリスクを提示することができる。たとえば、図６Ａに示すように、アクセスポイント６０４Ａ〜６０４Ｄの各々は、異なる反復時間期間６１０、６１２、６１４および６１６を割り当てられている。たとえば、図示のように、アクセスポイント６０４Ａは、通信のために反復時間期間６１０を割り当てられている。一態様では、アクセスポイント６０４Ｂ〜６０４Ｄはいずれも、時間期間６１０の間に通信できない。いくつかの他の態様では、アクセスポイント６０４Ｂ〜６０４Ｄのうちの１つのサブセットだけが、時間期間６１０の間に通信し得る。アクセスポイント６０４Ｂは、通信のために反復時間期間６１２を割り当てられている。一態様では、アクセスポイント６０４Ａまたは６０４Ｃ〜６０４Ｄはいずれも、時間期間６１２の間に通信できない。いくつかの他の態様では、アクセスポイント６０４Ａおよび６０４Ｃ〜６０４Ｄのうちの１つのサブセットだけが、時間期間６１２の間に通信し得る。
【０１１０】
[00132]アクセスポイントは、アクセスポイントが通信しているかまたはと関連付けられているモバイルデバイスの１つまたは複数のサブセットとの通信のためにこれらの時間期間を確保し得る。たとえば、いくつかの態様では、アクセスポイントは、１つの反復時間期間の間にモバイルデバイスの第１のグループと、第２の反復時間期間の間にモバイルデバイスの第２のグループとメッセージを交換し得る。いくつかの態様では、第１の反復時間期間が通信のために多数のアクセスポイントによって使用され得る一方、第２の反復時間期間は縮小された数のアクセスポイントによる使用のために確保される。
【０１１１】
[00133]いくつかの態様では、モバイルデバイスの第１のグループがモバイルデバイスの第２のグループと重複することがあるが、他の態様では、グループは重複しない。たとえば、いくつかの態様では、アクセスポイントは、干渉の影響を受けないものと決定されているモバイルデバイスを第１のグループにグループ分けすることができる。干渉の影響を受けるモバイルデバイスは、第２のグループ内に置かれ得る。第１のグループは干渉の影響を受けないので、多数の他のアクセスポイントおよびモバイルデバイスも送信しているとき、第１のグループとの通信が維持され得る。上記で説明した一例では、第１のグループが、反復時間期間６１８ａ〜６１８ｄの間にアクセスポイントと通信し得、それは、この例では、他のアクセスポイントおよび局は、反復時間期間６１８ａ〜６１８ｄの間に自由に送信し得るからである。図６Ａのアクセスポイント６０４Ｂに対して示すように、アクセスポイントは、別個の時間期間、たとえば時間期間６１２ａ〜６１２ｄの間に、モバイルデバイスの第２のグループと通信することができる。いくつかの態様では、反復時間期間６１８ａ〜６１８ｄ内よりも反復時間期間６１２ａ〜６１２ｄ内で、より少ないアクセスポイントおよび／またはモバイルデバイスが通信され得る。
【０１１２】
[00134]図６Ｂは、密集したワイヤレスネットワーク上で通信するために時分割多重化を使用する一例を示す。図６Ｂにおいて、時間が水平に示されている。図６Ｂは、図６Ａから２つの時間期間６０８ａ〜６０８ｂに分割された時間６０８を示す。時間期間６０８ａ〜６０８ｂの各々は、同じく図６Ａに示すように、反復時間期間６１０〜６１８に細分割される。図６Ｂの明瞭性を維持するために、時間期間６０８ｂの分割のすべてがラベル付けされるとは限らない。
【０１１３】
[00135]図６Ｂは、アクセスポイント６０４Ｂがワイヤレスデバイス６３０ａ〜６３０ｄを２つのグループに分割しており、１つのグループがワイヤレスデバイス６３０ａ〜６３０ｂを含み、別のグループがワイヤレスデバイス６３０ｃ〜６３０ｄを含むことを示す。いくつかの態様では、アクセスポイント６０４Ｂは、ワイヤレスデバイス６３０ａ〜６３０ｂは干渉の影響を受けない一方、ワイヤレスデバイス６３０ｃ〜６３０ｄは干渉の影響を受けるものと決定している可能性がある。いくつかの態様では、ＡＰ６０４からワイヤレスデバイス６３０ａ〜６３０ｄまでの物理的な距離は、デバイス６３０ａ〜６３０ｄが干渉の影響を受けるかどうかについての決定力を有し得る。いくつかの他の態様では、別のアクセスポイント（図示せず）などの干渉源に近接するモバイルデバイス６３０ａ〜６３０ｄの各々は、決定力を有し得るかまたは少なくともデバイス６３０ａ〜６３０ｄが干渉の影響を受けるかどうかに影響を及ぼし得る。
【０１１４】
[00136]図６Ｂは、アクセスポイント６０４Ｂが、反復時間期間６１８の間にワイヤレスデバイス６３０ａ〜６３０ｂと通信することを示す。アクセスポイント６０４Ｂは、反復時間期間６１６の間にワイヤレスデバイス６３０ｃ〜６３０ｄと通信する。いくつかの態様では、他のアクセスポイントおよびワイヤレスデバイス（図示せず）が、同じく、反復時間期間６１８の間に通信し得る一方、反復時間期間６１６において、（反復時間期間６１８に対して）より少ないアクセスポイントおよび／またはワイヤレスデバイスが、反復時間期間６１６の間に送信する。いくつかの態様では、反復時間期間６１６は、アクセスポイント６０４Ｂの独占的使用のために確保され得る。いくつかの態様では、反復時間期間６１６の間に通信する潜在的干渉源はより少ないので、ワイヤレスデバイス６３０ｃ〜６３０ｄとの通信は、それらのデバイスとの通信が反復時間期間６１８の間に発生する場合と比較して、改善され得る。
【０１１５】
[00137]いくつかの態様では、アクセスポイント６０４Ｂは、上記で説明した反復時間期間のうちの１つまたは複数を示す時間基準、および／または示された時間期間と関連付けられた通信ルールを、アクセスポイント６０４Ｂと通信することを望むワイヤレスデバイス６３０ａ〜６３０ｄまたは他のモバイルデバイスに提供し得る。いくつかの態様では、送信されるメッセージは、マルチキャストまたはブロードキャストされ得る。いくつかの態様では、このシグナリングは、アクセスポイントによって送信されたビーコン信号によって実行され得る。
【０１１６】
[00138]これらの態様では、ワイヤレスデバイスは、これらのインジケーションに基づいて、示された時間期間のうちの１つまたは複数の間にそれらのそれぞれのアクセスポイントとの通信を実行し得る。たとえば、アクセスポイント６０４Ｂは、ワイヤレスデバイスが、反復時間期間６１８の間にアクセスポイント６０４Ｂと自由に通信し得ることを示し得る。一態様では、アクセスポイント６０４Ｂは、さらに、ワイヤレスデバイスが、反復時間期間６１０、６１２または６１４の時間の間にアクセスポイント６０４Ｂと通信すべきでないことを示し得る。アクセスポイントは、さらに、反復時間期間６１６の間のアクセスポイントとの通信は、アクセスポイントによる明示的承認を必要とすることを示し得る。いくつかの態様では、モバイルデバイスが干渉の影響を受けるものとアクセスポイントが決定する場合、アクセスポイントはこの承認を起動し得る。いくつかの態様では、アクセスポイントは、干渉の影響を受けるモバイルデバイスを、反復時間期間６１０、６１２、６１４、６１６および６１８のうちの１つまたは複数に制限することができる。たとえば、干渉の影響を受けるデバイスは、干渉の影響を受けるデバイスのために使用されるかまたは（他のアクセスポイントおよび／またはそれらの関連付けられモバイルデバイスが送信を禁止され得るときに）その特定のアクセスポイントとの通信のために使用される反復時間期間の間に、アクセスポイントと通信するように制限され得る。
【０１１７】
[00139]図６Ｃは、図２Ｂのワイヤレス通信システム２５０内で利用され得る時分割多重化法の例示的な一実装形態を示す。図６Ａに示したように、図６Ｃもまた、縦寸法で時間６０８を示す。図６Ｃでは、反復時間期間６０８ａ〜６０８ｄは、さらに、それぞれ２つだけの時間期間、６１０ａ〜６１０ｄおよび６１８ａ〜６１８ｄにセグメント化される。他の態様は、反復時間期間６０８ａ〜６０８ｄを２つ以上の追加の時間期間にセグメント化し得る。図示の態様では、アクセスポイント６０４Ａ〜６０４Ｄの各々は、反復時間期間６１８ａ〜６１８ｄの間に通信し得る。いくつかの他の態様では、アクセスポイントのサブセットが、反復時間期間６１８ａ〜６１８ｄの間に通信し得る。いくつかの態様では、アクセスポイント６０４Ａ〜６０４Ｄは、反復時間期間６１８ａ〜６１８ｄ内の同時通信を管理するためにキャリア検知メディアアクセスを使用し得る。
【０１１８】
[00140]反復時間期間６１０ａ〜６１０ｄは、４つの周波数帯域６７５、６７６、６７７および６７８に分割される。図示の例では、反復時間期間６０８ａ〜６０８ｄは、８０Ｍｈｚの周波数帯域を備えることができ、周波数帯域６７５、６７６、６７７および６７８の各々は、８０Ｍｈｚの範囲内の２０Ｍｈｚを備える。図６Ｃに示す例では、アクセスポイント６０４Ａ〜６０４Ｄの各々は、異なる周波数帯域において反復時間期間６１０ａ〜６１０ｄの間に通信する。たとえば、アクセスポイント６０４ａは周波数帯域６７５で通信することを示され、一方、アクセスポイント６０４ｄは周波数帯域６７８で通信することを示される。いくつかの態様では、多数のアクセスポイントが、周波数帯域６７５〜６７８のうちの１つ内で通信し得る。これらの態様のうちの少なくともいくつかにおいて、反復時間期間６１８ａ〜６１８ｄの例示的な８０Ｍｈｚ周波数帯域内で通信し得るよりも、反復時間期間６１０の周波数帯域６７５〜６７８のうちの１つまたは複数内で、より少ないアクセスポイントが通信する。より少ないアクセスポイントが、反復時間期間６１０の周波数帯域６７５〜６７８のうちの１つまたは複数内で通信中であり得るので、干渉の影響を受けるワイヤレスデバイスは、時間期間６１８内の通信と比較して、時間期間６１０の間にこれらの周波数帯域内で通信するとき、改善された通信を経験することができる。
【０１１９】
[00141]いくつかの態様では、アクセスポイントは、１つまたは複数の他のアクセスポイントとの通信に基づいて、反復時間期間６１０ａ〜６１０ｄのどの１つまたは複数の周波数帯域で通信するかを決定し得る。いくつかの態様では、アクセスポイントは、局または他のネットワーク統計からのインジケーションに基づいて、通信するための周波数帯域または周波数範囲を決定し得る。これらの態様では、アクセスポイントは、通信するための周波数帯域を決定するために、別のアクセスポイントと通信しない場合がある。
【０１２０】
[00142]いくつかの態様では、反復時間期間６１０の特定の周波数帯域または周波数範囲は、通信のためのアクセスポイントによってランダムに選定され得る。各々の周波数帯域６７５〜６７８内で、アクセスポイントは、ある周波数帯域内の同時通信を管理するためにキャリア検知メディアアクセスを利用し得る。いくつかの態様では、アクセスポイントは、反復時間期間６１０ａ〜６１０ｄの間にアクセスポイントと通信するために局が使用すべき周波数帯域を示すために、１つまたは複数の関連付けられたまたは関連付けられていない局と信号を交換し得る。
【０１２１】
[00143]図７Ａは、密集したワイヤレス環境において第１のワイヤレスデバイスから第２のワイヤレスデバイスにワイヤレスメッセージを送信するためのプロセスのフローチャートである。一態様では、密集したワイヤレス環境は、図２Ｂに示す通信システム２５０を含み得る。一態様では、プロセス７００は、図４に示すワイヤレスデバイス４０２によって実行され得る。一態様では、プロセス７００は、アクセスポイントによって実行され得る。
【０１２２】
[00144]ブロック７０２は、ワイヤレスデバイスが干渉の影響を受けるかどうかを決定する。ブロック７０２は、上記で説明したブロック５０２に実質的に従って動作し得る。ワイヤレスデバイスが干渉の影響を受ける場合、ブロック７０６が、多重パラメータの第１のセットを使用してワイヤレスデバイスと通信する。ワイヤレスデバイスが干渉の影響を受けない場合、ブロック７０４が、多重パラメータの第２のセットを使用してワイヤレスデバイスと通信する。多重パラメータは、ビームフォーミングもしくは選択的アンテナの使用によって提供されるような空間多重化、周波数分割多重化、時分割多重化、または空間多重化、時分割多重化、および周波数分割多重化の組合せのうちの１つまたは複数を制御し得る。たとえば、多重パラメータの第１のセットは、第１の反復時間期間、周波数範囲、および／またはビームフォーミングパラメータを規定し得る。同様に、多重パラメータの第２のセットはまた、第２の反復時間期間、周波数範囲、および／またはビームフォーミングパラメータを規定し得る。
【０１２３】
[00145]いくつかの態様では、ＴＤＭ方式内の時間期間またはＦＤＭ方式内の周波数範囲などの多重パラメータの第１のセット、および多重パラメータの第２のセットは、異なる通信環境を提供し得る。上記で説明したように、いくつかの態様では、多重パラメータの第２のセットとよりも多重パラメータの第１のセットと、より少ないデバイスが通信中であり得るので、多重パラメータの第１のセットは、多重パラメータの第２のセットに対して低減された干渉送信のリスクを提供し得る。
【０１２４】
[00146]同様に、第１の時間期間の長さは、第２の時間期間の長さと異なってもよく、または同等であってもよい。いくつかの態様では、より長い反復時間期間は、より短い反復時間期間に対して改善された通信を提供し得る。たとえば、アクセスポイントは、干渉の影響を受けるデバイスの第１のグループとより長い反復時間期間において通信し得、それは、この時間期間は、干渉送信を経験するデバイスの低減された確率を提供し得るからである。アクセスポイントは、より短い反復時間期間において干渉の影響を受けないデバイスの第２のグループと通信し得る。より短い反復時間期間は、より長い反復時間期間に対して、デバイスのこの第２のグループをより多くの干渉にさらす可能性があるが、デバイスの第２のグループとの通信は、干渉が発生した場合に干渉に対してより耐性があり得る。
【０１２５】
[00147]多重パラメータの第１のセットおよび／または第２のセットの選択は、実装形態にわたって変化することがある複数の要因に基づくことができる。いくつかの態様では、多重パラメータの第１のセットおよび／または第２のセットの選択は、アクセスポイントから受信された１つまたは複数のメッセージに少なくとも部分的に基づくことができる。たとえば、いくつかの態様では、アクセスポイントは、特定のアクセスポイントによる通信における使用のために、多重パラメータの特定のセットを割り振るために互いに通信し得る。
【０１２６】
[00148]いくつかの態様では、多重パラメータの第１および第２のセットは、それぞれ、第１および第２の反復時間期間および／または周波数範囲を規定する。これらの態様のいくつかにおいて、第１および／または第２の反復時間期間または周波数範囲は、複数の反復時間期間または周波数範囲からランダムに決定される。一態様では、複数の反復時間期間および／または周波数範囲は、アクセスポイントから受信された１つまたは複数のメッセージに少なくとも部分的に基づいて決定され得る。たとえば、アクセスポイントのグループは、反復時間期間または周波数範囲のセットが干渉の影響を受けるデバイスとの通信のために使用されることになるものと決定するために通信し得る。反復時間期間および／または周波数範囲のセットは、アクセスポイントのグループに対して合意され、グループ間で通信され得る。次いで、各アクセスポイントは、干渉の影響を受けるものと決定されたデバイスと通信するとき、そのセットから１つまたは複数の時間期間および／または周波数範囲をランダムに選択し得る。本実施形態における時間期間または周波数範囲のランダムな選択は、干渉の影響を受けるデバイスのためのセットに対する時間期間または周波数範囲にわたって通信の妥当な分配を依然として提供しながら、送信を協調させるために使用されるアクセスポイントの間の通信を簡素化し得る。
【０１２７】
[00149]前述のように、いくつかの態様では、多重パラメータの第１および第２のセットは、第１および第２の反復時間期間および／または周波数範囲を規定する。一態様では、多重パラメータの第１および／または第２のセットの選択は、各時間期間または周波数範囲内で通信しているアクセスポイントの数に基づくことができる。たとえば、いくつかの態様では、多重パラメータの特定のセットを使用して通信しているアクセスポイントの数は、プロセス７００において決定され得る。次いで、プロセス７００は、各多重パラメータセットを使用して通信しているアクセスポイントの数に基づいて、通信に使用するための多重パラメータのセットに優先度を付けることができる。たとえば、プロセス７００は、無制限の数のアクセスポイントが多重パラメータの第１のセットを使用して通信するかどうか、またはアクセスポイントの限定されたセットだけが多重パラメータの第１のセットを使用して通信し得るかどうかを決定し得る。いくつかの態様では、プロセス７００は、１つのアクセスポイントが、通信のために多重パラメータの第１のセットの独占的使用を有するものと決定し得る。
【０１２８】
[00150]いくつかの態様では、アクセスポイントは、多重パラメータを用いて通信する「少」数のアクセスポイントを有する多重パラメータのセットを選択し得る。アクセスポイントは、干渉の影響を受けるデバイスと通信するために、このパラメータのセットを使用し得る。「少」数のアクセスポイントは、しきい値を下回る数であってよい。いくつかの態様では、多重パラメータを用いて通信する多数のアクセスポイントを有する多重パラメータの第２のセットは、干渉の影響を受けないデバイスと通信するために選択され得る。たとえば、時間期間または周波数範囲内で通信しているアクセスポイントの数が、第１のしきい値を超えて第２のしきい値を下回る場合、その周波数範囲または反復時間期間は、干渉の影響を受けないデバイスとの通信に使用するために選択され得る。
【０１２９】
[00151]図７Ｂは、反復時間期間の間にワイヤレスデバイスと通信するためのプロセスのフローチャートである。一態様では、プロセス７０７は、図７Ａに関して説明したプロセス７００の一部として実行され得る。具体的には、プロセス７０７は、プロセス７００のブロック７０４および／または７０６の一態様によって実行され得る。プロセス７００のブロック７０４および７０６のいくつかの態様は、プロセス７０７を実行しない。一態様では、プロセス７０７は、図４に示すワイヤレスデバイス４０２によって実行され得る。一態様では、プロセス７０７は、アクセスポイントによって実行され得る。
【０１３０】
[00152]ブロック７２０において、反復時間期間が決定される。上記で説明したように、反復時間期間は、実装形態によって変化することがあるが、アクセスポイントもしくはコントローラとの通信に基づいて、または候補時間期間のプールから時間期間をランダムに選択することによって時間期間を決定することを含み得る、多様な方法を使用して決定され得る。いくつかの態様では、反復時間期間は、プロセス７００のブロック７０４または７０６に関して上記で説明した多重パラメータの第１または第２のセットによって規定され得る。
【０１３１】
[00153]ブロック７２２において、反復時間期間内の周波数範囲が決定される。いくつかの態様では、ブロック７２２において決定された周波数範囲は、ブロック７０４または７０６に関して上記で説明した多重パラメータの第１のセットまたは多重パラメータの第２のセットによって規定され得る。
【０１３２】
[00154]周波数範囲は、ワイヤレスネットワーク上の通信のために使用される周波数範囲の一部であってよい。たとえば、図６Ｃに示すように、ワイヤレスネットワークは、一般に、ワイヤレス通信を実行するときに８０Ｍｈｚの周波数範囲を利用し得る。ブロック７２２は、通信のためにその周波数範囲のサブセットを選択し得る。たとえば、ブロック７２２は、ワイヤレス通信のために一般的に使用される８０Ｍｈｚの範囲内の１０、２０または４０Ｍｈｚの周波数範囲を選択し得る。いくつかの態様では、周波数範囲は、アクセスポイントとの通信に基づいて決定される。上述のように、アクセスポイントは、周波数範囲にわたって通信トラフィックの分配を与えるために、アクセスポイントにわたって周波数範囲の割り当てを調整するための１つまたは複数のメッセージを交換し得る。
【０１３３】
[00155]いくつかの態様では、周波数範囲は、複数の候補周波数範囲からランダムに選択されてよく、候補周波数範囲は、上記で説明したアクセスポイントの通信によって決定される。いくつかの態様では、複数の候補周波数範囲は、１つまたは複数のアクセスポイントとの通信に基づいて決定され得る。
【０１３４】
[00156]いくつかの態様では、ワイヤレス通信に利用される標準的周波数範囲内よりも、決定された周波数範囲内で、密集したワイヤレス環境内のより少ないアクセスポイントおよび／またはモバイルデバイスが通信し得る。たとえば、８０Ｍｈｚの周波数範囲、たとえば図６Ｃの反復時間期間６１８ａ〜６１８ｄ内の通信に利用される８０Ｍｈｚの周波数範囲内で通信するよりも、２０Ｍｈｚの周波数、たとえば図６Ｃに示す周波数範囲６７５〜６７８のいずれかの範囲内で、より少ないアクセスポイントおよび／または局が通信し得る。いくつかの態様では、干渉の影響を受けるワイヤレスデバイスは、決定された周波数範囲内で通信するとき、改善された通信を経験し得る。
【０１３５】
[00157]いくつかの態様では、ブロック７２０において決定された時間期間および／またはブロック７２２において決定された周波数範囲は、決定された時間期間および／または周波数範囲の間に通信されることになるデバイスが干渉の影響を受けるかどうかに基づいて決定され得る。デバイスが干渉の影響を受ける場合、デバイスをより低い干渉の確率にさらす時間期間および／または周波数範囲が選択され得る。たとえば、デバイス実行プロセス７０７が決定された反復時間期間および／または周波数範囲の間に干渉の影響を受ける第１のデバイスと通信することになる場合、デバイス実行プロセス７０７は、干渉を生成する可能性がより高いデバイスが通信していないときの時間期間および／または周波数範囲を選択し得る。いくつかの態様では、時間期間および／または周波数範囲は、その時間期間および／または周波数範囲の間に通信することが予測されるデバイスの数に基づいて、ならびに／あるいは第１のデバイスに比較的より近いデバイスまたは第１のデバイスにおいて比較的より高い送信強度を有するデバイスが、通信中である可能性がより低いときに、選択され得る。
【０１３６】
[00158]代替として、デバイス実行プロセス７０７が、時間期間および／または周波数範囲の間に干渉の影響を受けない第２のデバイスと通信することを意図する場合。時間期間および／または周波数範囲は、干渉に「より耐性がある」第２のデバイスに基づいて選択され得る。たとえば、時間期間および／または周波数範囲は、概して、より多くのデバイスが通信中であると予測されるとき、または比較的より強い送信信号を有するデバイスが通信中であり得るとき、または第２のデバイスに比較的より近いデバイスが通信中であり得るときに選択され得る。
【０１３７】
[00159]ブロック７２５において、ワイヤレスデバイスとの通信が、反復時間期間内で、および決定された周波数範囲内で実行される。ブロック７２５は、プロセス７００のブロック７０４または７０６のいずれかの中で実行され得る。
【０１３８】
[00160]図７Ｃは、ワイヤレス通信装置のための機能ブロック図を示す。ワイヤレス通信装置が図４に示す簡略化されたワイヤレス通信装置４０２よりも多くの構成要素を有し得ることを当業者は諒解されよう。図示されたワイヤレス通信装置７５０は、特許請求の範囲内の実装形態のいくつかの顕著な特徴について説明するために有用なそれらの構成要素のみを含む。ワイヤレス通信装置７５０は、干渉決定回路７５２と、空間多重化通信回路７５３と、時分割多重化局回路７５４と、周波数分割多重化局通信回路７５６と、低減された干渉の通信回路７５８とを含み得る。
【０１３９】
[00161]いくつかの実装形態では、干渉決定回路７５２は、ブロック７０２に関して上記で説明した機能のうちの１つまたは複数を実行するように構成され得る。干渉決定回路７５２は、プログラマブルチップ、プロセッサ、メモリ、およびネットワークインターフェースのうちの１つまたは複数を含み得る。たとえば、干渉決定回路は、プロセッサ４０４を含み得る。いくつかの実装形態では、ワイヤレスデバイスが干渉の影響を受けるかどうかを決定するための手段は、干渉決定回路７５２を含み得る。
【０１４０】
[00162]いくつかの実装形態では、空間多重化通信回路７５３は、ブロック７０４および／または７０６に関して上記で説明した機能のうちの１つまたは複数を実行するように構成され得る。空間多重化通信回路７５３は、プログラマブルチップ、プロセッサ、メモリ、およびネットワークインターフェースのうちの１つまたは複数を含み得る。たとえば、空間多重化通信回路７５３はプロセッサ４０４を含み得る。いくつかの実装形態では、ビームフォーミング法または選択的アンテナの使用を規定するパラメータなど、多重パラメータのセットを決定するための手段は、空間多重化通信回路７５３を含み得る。
【０１４１】
[00163]いくつかの実装形態では、時分割多重化局通信回路７５４は、ブロック７０４、７０６、および／または７２５に関して上記で説明した１つまたは複数の機能を実行するように構成され得る。時分割多重化局通信回路７５４は、プログラマブルチップ、プロセッサ、メモリ、およびネットワークインターフェースのうちの１つまたは複数を含み得る。たとえば、低減された干渉の送信回路は、プロセッサ４０４を含み得る。いくつかの実装形態では、反復時間期間など、多重パラメータのセットを決定するための手段は、時分割多重化局通信回路７５４を含み得る。
【０１４２】
[00164]いくつかの実装形態では、周波数分割多重化局通信回路７５６は、ブロック７０４、７０６、７２０および／または７２５に関して上記で説明した１つまたは複数の機能を実行するように構成され得る。周波数分割多重化局通信回路７５６は、プログラマブルチップ、プロセッサ、メモリ、およびネットワークインターフェースのうちの１つまたは複数を含み得る。たとえば、低減された干渉の送信回路は、プロセッサ４０４を含み得る。いくつかの実装形態では、周波数範囲など、多重パラメータのセットを決定するための手段は、周波数分割多重化局通信回路７５６を含み得る。
【０１４３】
[00165]いくつかの実装形態では、低減された干渉の通信回路７５８は、ブロック７０４、および／または７０６に関して上記で説明した１つまたは複数の機能を実行するように構成され得る。低減された干渉の通信回路７５８は、プログラマブルチップ、プロセッサ、メモリ、およびネットワークインターフェースのうちの１つまたは複数を含み得る。たとえば、低減された干渉の送信回路は、送信機４１０を含み得る。いくつかの実装形態では、多重パラメータのセットを使用してワイヤレスデバイスにメッセージを送信するための手段は、低減された干渉の通信回路７５８を含み得る。いくつかの態様では、反復時間期間および／または周波数範囲の間にワイヤレスデバイスと通信するための手段は、低減された干渉の通信回路７５８を含み得る。
【０１４４】
[00166]図７Ｄは、デバイスが干渉の影響を受けるかどうかを決定するためのプロセスのフローチャートである。一態様では、プロセス７０３は、図７Ａに関して説明したプロセス７００の一部として実行され得る。具体的に言うと、プロセス７０３は、ブロック７０２の一態様によって実行され得る。いくつかの態様では、ブロック７０２は、プロセス７０３を実行しない。一態様では、プロセス７０３は、図４に示すワイヤレスデバイス４０２によって実行され得る。一態様では、プロセス７０３は、アクセスポイントによって実行され得る。
【０１４５】
[00167]ブロック７７２において、プロセス７０３は、デバイスとの通信に関連するパケット誤り率を評価する。パケット誤り率がしきい値を超える場合、決定ブロック７７４は、デバイスが干渉の影響を受けるものと決定する。パケット誤り率がそのしきい値（または異なるしきい値）を下回る場合、ブロック７７６において、デバイスは、干渉の影響を受けないものと決定される。
【０１４６】
[00168]決定ブロック７７２のいくつかの態様は、デバイスが干渉の影響を受けるかどうかを決定するときに、デバイスとの通信と関連付けられた他のパラメータを考慮し得る。たとえば、いくつかの実装形態は、リンクの条件および／またはトポロジーと関連付けられた条件またはパラメータを考慮し得る。たとえば、いくつかの態様では、プロセス７０３を実行している第２のデバイスからしきい値以上の距離にある第１のデバイスは、決定ブロック７７２によって、干渉の影響を受けるものと決定され得る。いくつかの態様では、プロセス７０３は、上記で説明した干渉決定回路７５２によって実行され得る。
【０１４７】
[00169]図７Ｅは、空間分割多重化、時分割多重化、または周波数分割多重化のうちの１つまたは複数の組合せを使用してアクセスポイントと局との間のメッセージ交換を示すシーケンス図である。ＡＰ７０４は、最初に、メッセージ７８２をＳＴＡ７０６に送る。メッセージは、ＳＴＡ７０６がＡＰ７０４と通信するときに使用すべき１つまたは複数の多重パラメータを示す。いくつかの態様では、多重パラメータは、ビームフォーミングパラメータ、選択的アンテナパラメータ、時分割多重化方式内で使用するための１つまたは複数の反復時間期間、および／または周波数分割多重化方式内で使用するための１つまたは複数の周波数範囲のうちの１つまたは複数を示すかまたは含むことができる。
【０１４８】
[00170]次いで、メッセージ７８４および７８６は、メッセージ７８２によって示される多重パラメータに基づいてＡＰ７０４とＳＴＡ７０６との間で交換される。
【０１４９】
[00171]図７Ｆは、多重パラメータを示すメッセージに対する例示的なメッセージフォーマットである。いくつかの態様では、メッセージ７８２は、アクセスポイントから局に送信される。メッセージ７８２は、ＳＴＡ識別子フィールド７９２および多重パラメータセットフィールド７９４の、少なくとも２つのフィールドを含む。いくつかの態様では、ＳＴＡ識別子フィールド７９２は、メッセージ７８２のメディアアクセス制御ヘッダに含まれ得る。たとえば、ＳＴＡ識別子フィールド７９２は、メディアアクセス制御ヘッダの宛先ＭＡＣアドレスと同等であり得る。
【０１５０】
[00172]多重パラメータセットフィールドは、メッセージ７８２の送信機、いくつかの態様ではアクセスポイントと通信するときに局が使用すべき多重パラメータセットを示すかまたは含む。上記で説明したように、多重パラメータセットは、アクセスポイントとの通信に使用するための多重化方法を規定する１つまたは複数のパラメータを含むかまたは示すことができる。たとえば、多重パラメータセットは、時分割多重化方式内の反復時間期間のインジケーション、周波数分割多重化方式において使用するための周波数範囲、１つまたは複数のビーム、アクセスポイントにメッセージを送信するときに使用するためのフォーミングパラメータ、またはアクセスポイントにメッセージを送信するときに複数のアンテナがどのように利用されるべきかを決定するための選択的アンテナパラメータのうちの１つまたは複数を含み得る。
【０１５１】
[00173]図７Ｇは、ワイヤレスデバイスと通信するための多重パラメータを動的に決定する方法のフローチャートである。一態様では、プロセス１０００は、図７Ａに関して説明したプロセス７００の一部として実行され得る。たとえば、ワイヤレスデバイスは、最初にその干渉特性に基づいて特徴付けられた後、同様の特性を有するワイヤレスデバイスのグループと関連付けられ得る。次いで、ワイヤレスデバイスの各グループは、送信デバイスが特定のグループ内のデバイスのいずれかとどのように通信するかを制御する、特定の多重パラメータと関連付けられ得る。デバイスの各々の干渉特性は、周期的に評定され得る。この周期的評定は、デバイスのうちの１つまたは複数が、第１のグループから第２のグループまたは第３のグループに移動する結果をもたらすことがある。
【０１５２】
[00174]たとえば、ワイヤレスデバイスは、アクセスポイントの極近傍で動作していることがあり、アクセスポイントは、ワイヤレスデバイスへの通信に著しい干渉を引き起こす。しばらく後の時点において、干渉アクセスポイントは、動作を停止することがある。これは、ワイヤレスデバイスによって経験された干渉の量を低減し得、ワイヤレスデバイスが、激しい干渉の下でのデバイスのために確保されたグループから比較的少ない干渉を経験しているデバイスのグループに移動することを可能にする。送信機が通信しているデバイスによって経験されている干渉の量を周期的に特徴付けることによって、送信機は、現在のワイヤレス環境に基づいてそれらのデバイスとどのように通信するかに、よりよく適応することができる。
【０１５３】
[00175]ブロック１００１は、ワイヤレスデバイスが干渉の影響を受けるかどうかを決定する。ワイヤレスデバイスが干渉の影響を受けるかどうかを決定することは、図７Ｄのプロセス７０３または図７Ａのブロック７０２を含め、上記で説明したプロセスのいずれかに実質的に従って実行され得る。
【０１５４】
[00176]ブロック１００２において、ワイヤレスデバイスは、決定することに基づいて多重パラメータの少なくとも２つのセットのうちの１つと関連付けられる。多重パラメータの第１および／または第２のセットは、上記で説明したように、時分割多重化方式、周波数分割多重化方式、または空間多重化方式のうちの１つまたは複数を規定するパラメータを含み得る。たとえば、多重パラメータのセットは、その中で送信するための反復時間期間、またはその中で送信するための周波数範囲、またはこれらのパラメータの組合せを識別するパラメータを含み得る。
【０１５５】
[00177]ブロック１００３において、送信属性は、ワイヤレスデバイスが関連付けられた多重パラメータのセットに基づいて調整される。たとえば、上記で説明した多重パラメータは、メッセージがワイヤレスデバイスに送信されるべき周波数を規定し得る。したがって、いくつかの態様では、送信周波数属性は、関連する多重パラメータのセットに基づいて調整され得る。別の例では、関連する多重パラメータのセットは、ワイヤレスデバイスへの送信が実行されるべき反復時間期間を規定し得る。したがって、ワイヤレスデバイスへの送信が発生するときを制御する送信属性は、これらの例示的な多重パラメータに基づいて調整され得る。
【０１５６】
[00178]ブロック１００４は、関連する多重パラメータのセットに基づいてワイヤレスデバイスと通信する。たとえば、多重パラメータの第１のセットが、ワイヤレスデバイスとの通信が特定の周波数範囲内で特定の反復時間期間の間に実行されるべきであることを示す場合、ブロック１００４において発生する通信は、それらのパラメータに準拠する。いくつかの態様では、関連する多重パラメータのセットに基づく通信は、メッセージをワイヤレスデバイスに送信することおよび／またはワイヤレスデバイスから受信することを含み得る。
【０１５７】
[00179]ブロック１００３に関して上記で説明した送信属性の調整と併せて、受信属性もまた、関連する多重パラメータのセットに基づいて調整され得る。たとえば、多重パラメータがワイヤレスデバイスとの通信が実行されることになる周波数範囲を規定する場合、デバイス実行プロセス１０００は、多重パラメータによって規定される周波数範囲にわたって送信される信号が、ワイヤレスデバイスから適切に受信されることを確実にするために、受信機を調整することができる。
【０１５８】
[00180]ブロック１００６において、ワイヤレスデバイスとの通信がモニタされる。モニタすることは、通信と関連付けられた１つまたは複数のネットワーク統計と１つまたは複数の品質しきい値とを比較することを含み得る。たとえば、通信と関連付けられたパケット誤り率が、１つまたは複数の誤りしきい値と比較され得る。受信された信号強度インジケーションおよび／またはワイヤレスデバイスのパケット衝突統計が、同じく、モニタすることにおいて考慮され得る。
【０１５９】
[00181]ブロック１００８において、多重パラメータの第２のセットが、モニタすることに基づいて決定される。いくつかの態様では、多重パラメータの第２のセットが、モニタされているワイヤレスデバイスと同様の通信特性を有するワイヤレスデバイスの第２のグループと関連付けられ得る。多重パラメータの第２のセットが、上記のブロック１００２に関して説明した多重パラメータの少なくとも２つのセットとは異なる多重パラメータのセットであってよいことに留意されたい。
【０１６０】
[00182]いくつかの態様では、多重パラメータの第２のセットは、多重パラメータの第１のセットと同等であってよい。たとえば、ブロック１００６においてモニタされた品質インジケータが許容限界内に入る場合、多重パラメータに対する変更は行われない場合がある。代替として、ブロック１００６の間にモニタされた１つまたは複数の品質パラメータが許容範囲の外部、またはワイヤレスデバイスが関連付けられた現在のグループ（または現在の多重パラメータ）と関連する範囲の外部に入る場合、１つまたは複数の多重パラメータが、ワイヤレスデバイスとの通信の品質を改善しようとして修正され得る。いくつかの態様では、ワイヤレスデバイスは、ワイヤレスデバイスの異なるグループと関連付けられてよく、ワイヤレスデバイスと関連付けた異なるグループは、多重パラメータの第２のセットである。
【０１６１】
[00183]ブロック１０１０において、ワイヤレスデバイスとの通信は、多重パラメータの第２のセットに基づいて実行される。ブロック１００３および１００４に関して上記で説明したように、多重パラメータに基づくワイヤレスデバイスとの通信は、ワイヤレスデバイスとの通信がどのように実行されるかを制御する送信属性および／または受信属性のうちの１つまたは複数を調整することを含み得る。プロセス１０００のいくつかの態様では、ブロック１００６〜１０１０は実行されないことがあることに留意されたい。
【０１６２】
[00184]図７Ｈは、ワイヤレス通信装置のための機能ブロック図を示す。ワイヤレス通信装置が図４に示す簡略化されたワイヤレス通信装置４０２よりも多くの構成要素を有し得ることを当業者は諒解されよう。図示されたワイヤレス通信装置１０５０は、特許請求の範囲内の実装形態のいくつかの顕著な特徴について説明するために有用なそれらの構成要素のみを含む。ワイヤレス通信装置１０５０は、干渉決定回路１０５２と、多重パラメータ決定回路１０５４と、モニタリング回路１０５６と、高効率送信回路１０５８とを含み得る。
【０１６３】
[00185]いくつかの実装形態では、干渉決定回路１０５２は、ブロック１００１に関して上記で説明した機能のうちの１つまたは複数を実行するように構成され得る。干渉決定回路１０５２は、プログラマブルチップ、プロセッサ、メモリ、およびネットワークインターフェースのうちの１つまたは複数を含み得る。たとえば、干渉決定回路１０５２はプロセッサ４０４を含み得る。いくつかの実装形態では、デバイスが干渉の影響を受けるかどうかを決定するための手段は、干渉決定回路１０５２を含み得る。
【０１６４】
[00186]いくつかの実装形態では、多重パラメータ決定回路１０５４は、ブロック１００２および／または１００８に関して上記で説明した機能のうちの１つまたは複数を実行するように構成され得る。多重パラメータ決定回路１０５４は、プログラマブルチップ、プロセッサ、メモリ、およびネットワークインターフェースのうちの１つまたは複数を含み得る。たとえば、多重パラメータ決定回路１０５４は、プロセッサ４０４を含み得る。いくつかの実装形態では、多重パラメータを決定するための手段は、多重パラメータ決定回路１０５４を含み得る。
【０１６５】
[00187]いくつかの実装形態では、モニタリング回路１０５６は、ブロック１００６に関して上記で説明した機能のうちの１つまたは複数を実行するように構成され得る。モニタリング回路１０５６は、プログラマブルチップ、プロセッサ、メモリ、およびネットワークインターフェースのうちの１つまたは複数を含み得る。たとえば、モニタリング回路１０５６は、プロセッサ４０４を含み得る。いくつかの実装形態では、通信をモニタするための手段は、モニタリング回路１０５６を含み得る。
【０１６６】
[00188]いくつかの実装形態では、高効率送信回路１０５８は、ブロック１００３〜１００４、および／または１０１０に関して上記で説明した機能のうちの１つまたは複数を実行するように構成され得る。高効率送信回路１０５８は、プログラマブルチップ、プロセッサ、メモリ、およびネットワークインターフェースのうちの１つまたは複数を含み得る。たとえば、高効率送信回路１０５８は、送信機４１０および／または受信機４１２を含み得る。いくつかの実装形態では、ワイヤレスデバイスと通信するための手段は、高効率送信回路１０５８を含み得る。
【０１６７】
[00189]図８Ａは、密集したワイヤレス環境において第１のワイヤレスデバイスから第２のワイヤレスデバイスにワイヤレスメッセージを送信するためのプロセスのフローチャートである。一態様では、密集したワイヤレス環境は、図２Ｂに示す通信システム２５０を含み得る。一態様では、プロセス８００は、図４に示すワイヤレスデバイス４０２によって実行され得る。一態様では、プロセス８００は局によって実行され得る。
【０１６８】
[00190]ブロック８０２において、メッセージが受信される。メッセージは、多重パラメータの第１のセットを示す。メッセージは、アクセスポイントとの通信が多重パラメータのセットに基づいて実行されるべきであることを示す。いくつかの態様では、多重パラメータの第１のセットは、アクセスポイントとの通信に対するコンテンション期間内の反復時間期間を規定し得る。いくつかの態様では、メッセージは、アクセスポイントから受信される。いくつかの態様では、受信されたメッセージは、ブロードキャストされる。いくつかの態様では、多重パラメータのセットは、アクセスポイントとの通信に対する第２の反復時間期間を示し得る。
【０１６９】
[00191]ブロック８０４において、アクセスポイントとの通信は、多重パラメータの第１のセットに基づいて実行される。アクセスポイントとの通信は、アクセスポイントにメッセージを送信することおよび／またはアクセスポイントからメッセージを受信することを含み得る。
【０１７０】
[00192]いくつかの態様では、アクセスポイントとの通信は、アクセスポイントにメッセージを送信することを含み得るが、必ずしも、アクセスポイントからメッセージを受信することを含むとは限らない。いくつかの態様では、いくつかのメッセージが、多重パラメータの第１のセットによって規定された第１の反復時間期間の間にアクセスポイントから受信され得る一方で、他のメッセージは、第１の反復時間期間の外でアクセスポイントから受信され得る。したがって、いくつかの態様では、多重パラメータの第１のセットは、すべての通信がどのようにアクセスポイントと実行されるべきかを規定しないが、代わりに、特定の通信のサブセットがどのようにアクセスポイントと実行されるべきかを規定し得る。
【０１７１】
[00193]図８Ｂは、ワイヤレス通信装置のための機能ブロック図を示す。ワイヤレス通信装置が図４に示す簡略化されたワイヤレス通信装置４０２よりも多くの構成要素を有し得ることを当業者は諒解されよう。図示されたワイヤレス通信装置８５０は、特許請求の範囲内の実装形態のいくつかの顕著な特徴について説明するために有用なそれらの構成要素のみを含む。ワイヤレス通信装置８５０は、多重化制御回路８５２、低減された干渉の送信回路８５４、時分割多重化ＡＰ通信回路８５６、周波数分割多重化ＡＰ通信回路８５８、および／または空間分割多重化アクセスポイント通信回路８６０を含み得る。
【０１７２】
[00194]いくつかの実装形態では、多重化（ＴＤＭ）制御回路８５２は、ブロック８０２に関して上記で説明した機能のうちの１つまたは複数を実行するように構成され得る。多重化制御回路８５２は、プログラマブルチップ、プロセッサ、メモリ、およびネットワークインターフェースのうちの１つまたは複数を含み得る。たとえば、多重化制御回路は、受信機４１２を含み得る。いくつかの実装形態では、第１の反復時間期間を示すメッセージを受信するための手段は、多重化制御回路８５２を含み得る。
【０１７３】
[00195]いくつかの実装形態では、低減された干渉の通信回路８５４は、ブロック８０４に関して上記で説明した機能のうちの１つまたは複数を実行するように構成され得る。低減された干渉の通信回路８５４は、プログラマブルチップ、プロセッサ、メモリ、およびネットワークインターフェースのうちの１つまたは複数を含み得る。たとえば、低減された干渉の通信回路は、送信機４１０および／または受信機４１２を含み得る。いくつかの実装形態では、送信するための手段および／または通信するための手段は、低減された干渉の通信回路８５４を含み得る。
【０１７４】
[00196]いくつかの実装形態では、時分割多重化ＡＰ通信回路８５６は、ブロック８０４に関して上記で説明した機能のうちの１つまたは複数を実行するように構成され得る。時分割多重化ＡＰ通信回路８５６は、プログラマブルチップ、プロセッサ、メモリ、およびネットワークインターフェースのうちの１つまたは複数を含み得る。たとえば、時分割多重化ＡＰ通信回路は、プロセッサ４０４を含み得る。いくつかの実装形態では、反復時間期間の間に送信するための手段および／または通信するための手段は、時分割多重化ＡＰ通信回路８５６を含み得る。
【０１７５】
[00197]いくつかの実装形態では、周波数分割多重化ＡＰ通信回路８５８は、ブロック８０４に関して上記で説明した機能のうちの１つまたは複数を実行するように構成され得る。周波数分割多重化ＡＰ通信回路８５８は、プログラマブルチップ、プロセッサ、メモリ、およびネットワークインターフェースのうちの１つまたは複数を含み得る。たとえば、周波数分割多重化ＡＰ通信回路は、プロセッサ４０４を含み得る。いくつかの実装形態では、選択された周波数範囲内で送信するための手段および／または通信するための手段は、周波数分割多重化ＡＰ通信回路８５８を含み得る。
【０１７６】
[00198]いくつかの実装形態では、空間分割多重化ＡＰ通信回路８６０は、ブロック８０４に関して上記で説明した機能のうちの１つまたは複数を実行するように構成され得る。空間分割多重化ＡＰ通信回路８６０は、プログラマブルチップ、プロセッサ、メモリ、およびネットワークインターフェースのうちの１つまたは複数を含み得る。たとえば、空間分割多重化ＡＰ通信回路は、プロセッサ４０４を含み得る。いくつかの実装形態では、ビームフォーミングまたは選択的アンテナを使用して送信するための手段および／または通信するための手段は、空間分割多重化ＡＰ通信回路８６０を含み得る。
【０１７７】
[00199]図９Ａは、密集したワイヤレス環境において第１のワイヤレスデバイスから第２のワイヤレスデバイスにワイヤレスメッセージを送信するためのプロセスのフローチャートである。一態様では、密集したワイヤレス環境は、図２Ｂに示す通信システム２５０を含み得る。一態様では、プロセス９００は、図４に示すワイヤレスデバイス４０２によって実行され得る。一態様では、プロセス９００は、局によって実行され得る。一態様では、プロセス９００は、図８Ａに関して上記で説明したプロセス８００の一部として実行され得る。
【０１７８】
[00200]ブロック９０２において、メッセージが受信される。メッセージは、アクセスポイントとの通信に対するコンテンション期間内の第１の反復時間期間を示す。いくつかの態様では、メッセージは、アクセスポイントから受信される。いくつかの態様では、受信されたメッセージは、ブロードキャストされる。いくつかの態様では、メッセージは、アクセスポイントとの通信に対する第２の反復時間期間を示し得る。
【０１７９】
[00201]ブロック９０３において、第２のメッセージが受信される。第２のメッセージは、第１の周波数範囲を示す。第２のメッセージはまた、アクセスポイントとの通信が、第１の反復時間期間の間、および第１の周波数範囲内で実行されるべきであることを示す。
【０１８０】
[00202]ブロック９０４において、アクセスポイントとの通信は、受信されたメッセージに基づいて、第１の反復時間期間の間、および第１の周波数範囲内で実行される。アクセスポイントとの通信は、アクセスポイントにメッセージを送信すること、またはアクセスポイントからメッセージを受信することを備え得る。
【０１８１】
[00203]いくつかの態様では、アクセスポイントとの通信は、アクセスポイントにメッセージを送信することを備え得るが、必ずしも、アクセスポイントからメッセージを受信することを含むとは限らない。いくつかの態様では、いくつかのメッセージが、第１の反復時間期間の間、および第１の周波数範囲内でアクセスポイントから受信され得る一方で、他のメッセージは、第１の反復時間期間の外および第１の周波数範囲の外でアクセスポイントから受信され得る。たとえば、いくつかの態様では、ビーコンメッセージが、第１の周波数範囲の外でアクセスポイントから受信され得る。
【０１８２】
[00204]図９Ｂは、ワイヤレス通信装置のための機能ブロック図を示す。ワイヤレス通信装置が図４に示す簡略化されたワイヤレス通信装置４０２よりも多くの構成要素を有し得ることを当業者は諒解されよう。図示されたワイヤレス通信装置９５０は、特許請求の範囲内の実装形態のいくつかの顕著な特徴について説明するために有用なそれらの構成要素のみを含む。ワイヤレス通信装置９５０は、多重化制御回路９５２、時分割多重化アクセスポイント通信回路９５６、周波数分割多重化ＡＰ通信回路９５８、および／または低減された干渉のアクセスポイント通信回路９５４を含み得る。いくつかの態様では、デバイス９５０は、デバイス８５０である。
【０１８３】
[00205]いくつかの実装形態では、多重化制御回路９５２は、ブロック９０２および／または９０３に関して上記で説明した機能のうちの１つまたは複数を実行するように構成され得る。多重化制御回路９５２は、プログラマブルチップ、プロセッサ、メモリ、およびネットワークインターフェースのうちの１つまたは複数を含み得る。たとえば、多重化制御回路は、受信機４１２を含み得る。いくつかの実装形態では、多重化するための手段または受信するための手段は、多重化制御回路９５２を含み得る。
【０１８４】
[00206]いくつかの実装形態では、低減された干渉のアクセスポイント通信回路９５４は、ブロック９０４に関して上記で説明した機能のうちの１つまたは複数を実行するように構成され得る。低減された干渉のアクセスポイント通信回路９５４は、プログラマブルチップ、プロセッサ、メモリ、およびネットワークインターフェースのうちの１つまたは複数を含み得る。たとえば、低減された干渉のアクセスポイント通信回路は、送信機４１０を含み得る。いくつかの実装形態では、送信するための手段および／または通信するための手段は、低減された干渉のアクセスポイント通信回路９５４を含み得る。
【０１８５】
[00207]いくつかの実装形態では、時分割多重化アクセスポイント通信回路９５６は、ブロック９０４に関して上記で説明した機能のうちの１つまたは複数を実行するように構成され得る。時分割多重化アクセスポイント通信回路９５６は、プログラマブルチップ、プロセッサ、メモリ、およびネットワークインターフェースのうちの１つまたは複数を含み得る。たとえば、時分割多重化回路は、プロセッサ４０４を含み得る。いくつかの実装形態では、反復時間期間の間に送信するための手段および／または通信するための手段は、時分割多重化アクセスポイント通信回路９５６を含み得る。
【０１８６】
[00208]いくつかの実装形態では、周波数分割多重化アクセスポイント通信回路９５８は、ブロック９０４に関して上記で説明した機能のうちの１つまたは複数を実行するように構成され得る。周波数分割多重化アクセスポイント通信回路９５８は、プログラマブルチップ、プロセッサ、メモリ、およびネットワークインターフェースのうちの１つまたは複数を含み得る。たとえば、周波数分割多重化回路は、プロセッサ４０４を含み得る。いくつかの実装形態では、周波数範囲内で送信するための手段および／または通信するための手段は、周波数分割多重化アクセスポイント通信回路９５８を含み得る。
【０１８７】
[00209]本明細書で使用される「決定する」という用語は、幅広い様々なアクションを包含する。たとえば、「決定する」は、計算する、演算する、処理する、導出する、調査する、参照する（たとえば表、データベース、または別のデータ構造を参照する）、および確認するなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用する「チャネル幅」は、いくつかの態様では帯域幅を包含する場合があるか、または帯域幅と呼ばれる場合もある。
【０１８８】
[00210]本明細書で使用する、項目のリスト「のうちの少なくとも１つ」を指すフレーズは、単一のメンバを含む、それらの項目の任意の組合せを指す。一例として、「ａ、ｂまたはｃのうちの少なくとも１つ」には、ａ、ｂ、ｃ、ａ−ｂ、ａ−ｃ、ｂ−ｃおよびａ−ｂ−ｃを網羅することが意図されている。
【０１８９】
[00211]上記で説明した方法の様々な動作は、様々なハードウェア構成要素および／もしくはソフトウェア構成要素、回路、ならびに／またはモジュールなどの、その動作を実行することが可能な任意の適切な手段によって実行され得る。一般に、図に示す任意の動作は、その動作を実行することが可能な対応する機能的手段によって実行され得る。
【０１９０】
[00212]本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１９１】
[00213]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶され得るか、またはコンピュータ可読媒体を介して送信され得る。コンピュータ可読媒体は、ある場所から別の場所へのコンピュータプログラムの転送を容易にするどのような媒体をも含む、コンピュータ記憶媒体と通信媒体との両方を含む。記憶媒体は、コンピュータによってアクセスされ得る任意の入手可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスク記憶装置、磁気ディスク記憶装置もしくは他の磁気記憶デバイスを備えてよく、または、所望のプログラムコードを命令またはデータ構造の形で搬送または記憶するのに使用できコンピュータによってアクセスできる任意の他の媒体を備えてよい。また、任意の接続は、適切にコンピュータ可読媒体と称される。たとえば、ソフトウェアが、ウェブサイト、サーバ、または他のリモートソースから同軸ケーブル、光ファイバケーブル、ツイストペア、デジタル加入者回線（ＤＳＬ）、または赤外線、無線、およびマイクロ波などのワイヤレス技術を使用して送信される場合に、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体）を備え得る。加えて、いくつかの態様では、コンピュータ可読媒体は、一時的コンピュータ可読媒体（たとえば、信号）を備え得る。上記のものの組合せもまた、コンピュータ可読媒体の範囲内に含まれるべきである。
【０１９２】
[00214]したがって、いくつかの態様は、本明細書に提示された動作を実行するためのコンピュータプログラム製品を備え得る。たとえば、そのようなコンピュータプログラム製品は、本明細書で説明される動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【０１９３】
[00215]本明細書において開示されている方法は、説明されている方法を達成するための１つまたは複数のステップまたはアクションを備えている。方法ステップおよび／またはアクションは、特許請求の範囲を逸脱することなく互いに交換され得る。言い換えれば、ステップまたはアクションの特定の順序が明記されていない限り、その順序および／または特定のステップおよび／またはアクションの使用は、特許請求の範囲を逸脱することなく修正され得る。
【０１９４】
[00216]ソフトウェアまたは命令は、送信媒体上でも送信され得る。たとえば、ウェブサイト、サーバ、または他の遠隔ソースから、同軸ケーブル、光ファイバケーブル、ツイストペア、デジタル加入者回線（ＤＳＬ）、または赤外線、無線、およびマイクロ波などのワイヤレス技術を使用してソフトウェアが送信される場合には、上記の同軸ケーブル、光ファイバケーブル、ツイストペア、ＤＳＬ、または赤外線、無線、およびマイクロ波などのワイヤレス技術は、送信媒体の定義に含まれる。
【０１９５】
[00217]さらに、本明細書で説明される方法および技法を実行するためのモジュールおよび／または他の適切な手段は、適用可能な場合、ユーザ端末および／もしくは基地局によってダウンロードされ得るならびに／または他の方法で取得され得ることを諒解されるべきである。たとえば、本明細書で説明される方法を実行するための手段の転送を容易にするために、そのようなデバイスはサーバに結合され得る。代替的に、本明細書で説明される様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。その上、本明細書で説明される方法と技法とをデバイスに提供するための任意の他の適切な技法が利用され得る。
【０１９６】
[00218]請求項は、上で説明された厳密な構成および構成要素に限定されないことを諒解されたい。上記で説明した方法および装置の配置、動作および詳細には、特許請求の範囲を逸脱することなく、様々な修正、変更および変形が行われ得る。
【０１９７】
[00219]前述は本開示の態様を対象とするが、本開示の他の態様およびさらなる態様は、その基本的範囲から逸脱することなく考案され得、その範囲は以下の特許請求の範囲によって決定される。
以下に、本願出願の当初の特許請求の範囲に記載された発明を付記する。
［Ｃ１］
キャリア検知多重アクセス（ＣＳＭＡ）を利用する媒体上で第１のワイヤレスデバイスから第２のワイヤレスデバイスにワイヤレスメッセージを送信する方法であって、
前記第２のワイヤレスデバイスが干渉の影響を受けるかどうかを決定することと、
前記第２のワイヤレスデバイスを、前記決定することに基づいて多重パラメータの少なくとも２つのセットのうちの１つと関連付けることと、
前記第２のワイヤレスデバイスが関連付けられた多重パラメータの前記セットに基づいて、送信属性を調整することと、
前記調整された送信属性に基づいて前記第２のワイヤレスデバイスにメッセージを送信することと
を備える、方法。
［Ｃ２］
前記第２のワイヤレスデバイスが干渉の影響を受けるかどうかについて前記決定することの根拠を、前記第１のワイヤレスデバイスから前記第２のワイヤレスデバイスまでの距離、前記第１のワイヤレスデバイスと第２のワイヤレスデバイスとの間の通信と関連付けられたネットワーク統計、および前記第１のワイヤレスデバイスと前記第２のワイヤレスデバイスとの間のワイヤレスリンクの条件またはトポロジーのうちの１つまたは複数に置くことをさらに備える、
［Ｃ１］に記載の方法。
［Ｃ３］
前記決定することの根拠を、パケット誤り率、前記第２のワイヤレスデバイスから受信されたメッセージの送信電力、および前記第２のワイヤレスデバイスの実際のまたは企てられたスループットのうちの１つまたは複数に置くことをさらに備える、
［Ｃ２］に記載の方法。
［Ｃ４］
前記決定することの根拠を、前記第２のワイヤレスデバイスの信号強度に置くことをさらに備える、
［Ｃ２］に記載の方法。
［Ｃ５］
前記第２のワイヤレスデバイスの前記信号強度が強度しきい値を下回る場合に、前記第２のワイヤレスデバイスが干渉の影響を受けるものと決定することをさらに備える、
［Ｃ４］に記載の方法。
［Ｃ６］
前記第２のワイヤレスデバイスが干渉の影響を受ける場合、第１の反復時間期間の間に前記第２のワイヤレスデバイスに１つまたは複数のメッセージを送信することと、
前記第２のワイヤレスデバイスが干渉の影響を受けない場合、第２の反復時間期間の間に前記第２のワイヤレスデバイスに１つまたは複数のメッセージを送信することと
をさらに備える、［Ｃ１］に記載の方法。
［Ｃ７］
第３のワイヤレスデバイスが干渉の影響を受ける場合、前記第１の反復時間期間の間に前記第３のワイヤレスデバイスに１つまたは複数のメッセージを送信することと、
前記第３のワイヤレスデバイスが干渉の影響を受けない場合、前記第２の反復時間期間の間に前記第３のデバイスに１つまたは複数のメッセージを送信することと
をさらに備える、［Ｃ６］に記載の方法。
［Ｃ８］
前記第１または第２の反復時間期間が発生するときを示すインジケーションメッセージを、前記第２のワイヤレスデバイスに送信することをさらに備える、
［Ｃ６］に記載の方法。
［Ｃ９］
前記インジケーションメッセージをブロードキャストすることをさらに備える、
［Ｃ８］に記載の方法。
［Ｃ１０］
前記第２のワイヤレスデバイスが干渉の影響を受ける場合、前記第２のワイヤレスデバイスに前記インジケーションメッセージを送信することをさらに備える、
［Ｃ８］に記載の方法。
［Ｃ１１］
ビーコン間隔に基づいて前記第１または第２の反復時間期間が発生するときを示すことをさらに備える、
［Ｃ８］に記載の方法。
［Ｃ１２］
ビーコンメッセージとして前記インジケーションメッセージを送信することをさらに備える、
［Ｃ１１］に記載の方法。
［Ｃ１３］
ビーコンメッセージのタイミングに関連する前記第１または第２の時間期間を示すことをさらに備える、
［Ｃ１１］に記載の方法。
［Ｃ１４］
前記第１または第２の反復時間期間が発生するときを示すメッセージを、アクセスポイントに送信することをさらに備える、
［Ｃ６］に記載の方法。
［Ｃ１５］
メッセージをアクセスポイントから受信することをさらに備え、前記メッセージは、前記第１または第２の反復時間期間を示す、
［Ｃ６］に記載の方法。
［Ｃ１６］
第１の数のアクセスポイントは、前記第１の反復時間期間の間に通信し、第２の数のアクセスポイントは、前記第２の反復時間期間の間に通信する、
［Ｃ６］に記載の方法。
［Ｃ１７］
前記第１の数は、前記第２の数よりも小さい、
［Ｃ１６］に記載の方法。
［Ｃ１８］
第１の周波数帯域を決定することをさらに備え、前記第１の反復時間期間の間に送信されるメッセージは、前記第１の周波数帯域内で送信され、アクセスポイントは、前記第１の反復時間期間の間に第２の周波数帯域内で通信する、
［Ｃ６］に記載の方法。
［Ｃ１９］
前記第１の周波数帯域について前記決定することは、前記第１の周波数帯域をランダムに選択することを備える、
［Ｃ１８］に記載の方法。
［Ｃ２０］
前記第１の周波数帯域について前記決定することは、前記アクセスポイントとの通信に基づく、
［Ｃ１８］に記載の方法。
［Ｃ２１］
前記第１の反復時間期間の間の通信を前記第１の周波数帯域に割り当てるメッセージを受信することをさらに備え、前記決定することは、前記受信されたメッセージに基づく、
［Ｃ２０］に記載の方法。
［Ｃ２２］
前記第１の周波数帯域がプライマリチャネルであるものと決定することをさらに備える、
［Ｃ１８］に記載の方法。
［Ｃ２３］
複数の候補反復時間期間を決定することと、
前記複数の候補反復時間期間から前記第１の反復時間期間をランダムに選択することと
をさらに備える、［Ｃ６］に記載の方法。
［Ｃ２４］
ネットワーク負荷に基づいて前記第１または反復時間期間の持続時間を決定することをさらに備える、
［Ｃ７］に記載の方法。
［Ｃ２５］
関連する局によるＭＣＳ０接続要求不成功の数に基づいて前記第１または第２の反復時間期間の持続時間を決定することをさらに備える、
［Ｃ７］に記載の方法。
［Ｃ２６］
前記送信属性を調整した後、前記第２のワイヤレスデバイスとの通信をモニタすることと、
前記第２のワイヤレスデバイスを、前記モニタすることに基づいて多重パラメータの第３のセットと関連付けることと
をさらに備える、［Ｃ１］に記載の方法。
［Ｃ２７］
多重パラメータの第３のセットを選択することによって、前記送信属性をさらに調整することをさらに備える、
［Ｃ２６］に記載の方法。
［Ｃ２８］
前記多重パラメータの第１のセットによって示される第１の周波数帯域は、多重パラメータの前記第３のセットによって示される第２の周波数帯域とは異なる、
［Ｃ２７］に記載の方法。
［Ｃ２９］
１つまたは複数のアクセスポイントとの通信に基づいて周波数スケジュールを決定することをさらに備え、前記さらに調整することは、少なくとも前記周波数スケジュールに基づく、
［Ｃ２７］に記載の方法。
［Ｃ３０］
前記周波数スケジュールは、反復時間期間または周波数帯域の数、反復時間期間または周波数帯域のサイズまたは持続時間、反復時間期間または周波数帯域のセットに対する時間基準のうちの１つまたは複数を示す、
［Ｃ２７］に記載の方法。
［Ｃ３１］
キャリア検知多重アクセス（ＣＳＭＡ）を利用する媒体上でワイヤレスデバイスにワイヤレスメッセージを送信するための装置であって、
前記ワイヤレスデバイスが干渉の影響を受けるかどうかを決定すること、
前記ワイヤレスデバイスを、前記決定することに基づいて多重パラメータの少なくとも２つのセットのうちの１つと関連付けること、
前記ワイヤレスデバイスが関連付けられた多重パラメータの前記セットに基づいて、送信属性を調整することを行うように構成されたプロセッサと、
前記調整された送信属性に基づいて、前記ワイヤレスデバイスにメッセージを送信するように構成された送信機と
を備える、装置。
［Ｃ３２］
前記プロセッサは、前記装置から前記ワイヤレスデバイスまでの距離、前記装置とワイヤレスデバイスとの間の通信と関連付けられたネットワーク統計、および前記装置と前記ワイヤレスデバイスとの間のワイヤレスリンクの条件またはトポロジーのより多くのうちの１つまたは複数に基づいて、前記ワイヤレスデバイスが干渉の影響を受けるかどうかを決定するように構成される、
［Ｃ３１］に記載の装置。
［Ｃ３３］
前記ネットワーク統計は、パケット誤り率、前記第２のワイヤレスデバイスから受信されたメッセージの送信電力、および前記第２のワイヤレスデバイスの実際のまたは企てられたスループットのうちの１つまたは複数を備える、
［Ｃ３２］に記載の装置。
［Ｃ３４］
前記プロセッサは、前記パケット誤り率が誤りしきい値を超える場合に前記ワイヤレスデバイスが干渉の影響を受けるものと決定するように構成される、
［Ｃ３１］に記載の装置。
［Ｃ３５］
前記ネットワーク統計は、前記第２のワイヤレスデバイスの信号強度を備える、
［Ｃ３２］に記載の装置。
［Ｃ３６］
前記プロセッサは、前記信号強度が強度しきい値を下回る場合に前記ワイヤレスデバイスが干渉の影響を受けるものと決定するように構成される、
［Ｃ３１］に記載の装置。
［Ｃ３７］
前記ワイヤレスデバイスが干渉の影響を受ける場合、第１の反復時間期間の間に前記ワイヤレスデバイスに１つまたは複数のメッセージを送信するように構成された送信機と、
前記ワイヤレスデバイスが干渉の影響を受けない場合、第２の反復時間期間の間に前記ワイヤレスデバイスに１つまたは複数のメッセージを送信するように構成された送信機と
をさらに備える、［Ｃ３１］に記載の装置。
［Ｃ３８］
前記第２のワイヤレスデバイスが干渉の影響を受ける場合、前記第１の反復時間期間の間に第２のワイヤレスデバイスに１つまたは複数のメッセージを送信するように構成された送信機と、
前記第２のワイヤレスデバイスが干渉の影響を受けない場合、第２の反復時間期間の間に前記第２のワイヤレスデバイスに１つまたは複数のメッセージを送信するように構成された送信機と
をさらに備える、［Ｃ３７］に記載の装置。
［Ｃ３９］
前記第１または第２の反復時間期間が発生するときを示すメッセージを、前記ワイヤレスデバイスに送信するように構成された送信機をさらに備える、
［Ｃ３７］に記載の装置。
［Ｃ４０］
前記メッセージは、ブロードキャストされる、
［Ｃ３９］に記載の装置。
［Ｃ４１］
前記メッセージは、前記ワイヤレスデバイスが干渉の影響を受ける場合に前記ワイヤレスデバイスに送信される、
［Ｃ３９］に記載の装置。
［Ｃ４２］
前記インジケーションは、ビーコン間隔に基づく、
［Ｃ３９］に記載の装置。
［Ｃ４３］
前記メッセージは、ビーコンメッセージである、
［Ｃ４２］に記載の装置。
［Ｃ４４］
前記第１または第２の時間期間の前記インジケーションは、ビーコンメッセージのタイミングに関連するものである、
［Ｃ４２］に記載の装置。
［Ｃ４５］
メッセージをクセスポイントに送信するように構成された送信機をさらに備え、前記メッセージは、前記第１または第２の反復時間期間が発生するときを示す、
［Ｃ３７］に記載の装置。
［Ｃ４６］
メッセージをアクセスポイントから受信するように構成された受信機をさらに備え、前記メッセージは、前記第１または第２の反復時間期間を示す、
［Ｃ３７］に記載の装置。
［Ｃ４７］
第１の数のアクセスポイントは、前記第１の反復時間期間の間に通信し、第２の数のアクセスポイントは、前記第２の反復時間期間の間に通信し、前記第１の数は、前記第２の数より小さい、
［Ｃ３７］に記載の装置。
［Ｃ４８］
第１の周波数帯域を決定するように構成されたプロセッサをさらに備え、前記第１の反復時間期間の間に送信されるメッセージは、前記第１の周波数帯域内で送信され、アクセスポイントは、前記第１の反復時間期間の間に第２の周波数帯域内で通信する、
［Ｃ３７］に記載の装置。
［Ｃ４９］
前記プロセッサは、前記第１の周波数帯域をランダムに選択することによって前記第１の周波数帯域について決定するように構成される、
［Ｃ４８］に記載の装置。
［Ｃ５０］
前記プロセッサは、第２のアクセスポイントとの通信に基づいて前記第１の周波数帯域を決定するように構成される、
［Ｃ４８］に記載の装置。
［Ｃ５１］
前記第１の反復時間期間の間の通信を前記第１の周波数帯域に割り当てるメッセージを受信するように構成された受信機をさらに備え、前記プロセッサは、前記受信されたメッセージに基づいて前記周波数帯域を決定するように構成される、
［Ｃ５０］に記載の装置。
［Ｃ５２］
前記第１の周波数帯域は、プライマリチャネルに対応する、
［Ｃ４８］に記載の装置。
［Ｃ５３］
複数の候補反復時間期間から前記第１の反復時間期間をランダムに選択するように構成されたプロセッサをさらに備える、
［Ｃ３７］に記載の装置。
［Ｃ５４］
ネットワーク負荷に基づいて前記第１または第２の反復時間期間の持続時間を決定するように構成されたプロセッサをさらに備える、
［Ｃ３８］に記載の装置。
［Ｃ５５］
関連する局によるＭＣＳ０接続要求不成功の数に基づいて前記第１または第２の反復時間期間の持続時間を決定するように構成されたプロセッサをさらに備える、
［Ｃ３８］に記載の装置。
［Ｃ５６］
前記送信属性の調整の後で前記ワイヤレスデバイスとの通信をモニタするように構成され、前記モニタすることに基づいて前記ワイヤレスデバイスを多重パラメータの第３のセットと関連付けるように構成されたプロセッサをさらに備える、
［Ｃ３１］に記載の装置。
［Ｃ５７］
前記多重パラメータの第１のセットによって示される第１の周波数帯域は、多重パラメータの前記第３のセットによって示される第２の周波数帯域とは異なる、
［Ｃ５６］に記載の装置。
［Ｃ５８］
１つまたは複数のアクセスポイントとの通信に基づいて周波数スケジュールを決定するように構成されたプロセッサをさらに備え、前記さらに調整することが少なくとも前記周波数スケジュールに基づく、
［Ｃ５７］に記載の装置。
［Ｃ５９］
前記周波数スケジュールは、反復時間期間または周波数帯域の数、反復時間期間または周波数帯域のサイズまたは持続時間、反復時間期間または周波数帯域のセットに対する時間基準のうちの１つまたは複数を示す、
［Ｃ５８］に記載の装置。
［Ｃ６０］
キャリア検知多重アクセス（ＣＳＭＡ）を利用する媒体上でワイヤレスデバイスにワイヤレスメッセージを送信するための装置であって、
前記ワイヤレスデバイスが干渉の影響を受けるかどうかを決定するための手段と、
前記ワイヤレスデバイスを、前記決定することに基づいて多重パラメータの少なくとも２つのセットのうちの１つと関連付けるための手段と、
前記ワイヤレスデバイスが関連付けられた多重パラメータの前記セットに基づいて、送信属性を調整するための手段と、
前記調整された送信属性に基づいて前記ワイヤレスデバイスにメッセージを送信するための手段と
を備える、装置。
［Ｃ６１］
前記ワイヤレスデバイスが干渉の影響を受けるかどうかを前記決定するための手段は、前記装置から前記ワイヤレスデバイスまでの距離、前記装置とワイヤレスデバイスとの間の通信と関連付けられたネットワーク統計、および前記装置と前記ワイヤレスデバイスとの間のワイヤレスリンクの条件またはトポロジーのより多くのうちの１つまたは複数に基づいて、前記ワイヤレスデバイスが干渉の影響を受けるかどうかを決定するように構成される、
［Ｃ６０］に記載の装置。
［Ｃ６２］
前記ネットワーク統計は、パケット誤り率、前記第２のワイヤレスデバイスから受信されたメッセージの送信電力、および前記第２のワイヤレスデバイスの実際のまたは企てられたスループットのうちの１つまたは複数を備える、
［Ｃ６１］に記載の装置。
［Ｃ６３］
前記ワイヤレスデバイスが干渉の影響を受けるかどうかを前記決定するための手段は、前記パケット誤り率が誤りしきい値を超える場合に前記ワイヤレスデバイスが干渉の影響を受けるものと決定するように構成される、
［Ｃ６２］に記載の装置。
［Ｃ６４］
前記ネットワーク統計は、前記ワイヤレスデバイスの信号強度を備える、
［Ｃ６１］に記載の装置。
［Ｃ６５］
前記ワイヤレスデバイスが干渉の影響を受けるかどうかを前記決定するための手段は、前記信号強度が強度しきい値を下回る場合に前記ワイヤレスデバイスが干渉の影響を受けるものと決定するように構成される、
［Ｃ６２］に記載の装置。
［Ｃ６６］
前記ワイヤレスデバイスが干渉の影響を受ける場合、第１の反復時間期間の間に前記ワイヤレスデバイスに１つまたは複数のメッセージを送信するための手段と、
前記ワイヤレスデバイスが干渉の影響を受けない場合、第２の反復時間期間の間に前記ワイヤレスデバイスに１つまたは複数のメッセージを送信するための手段と
をさらに備える、［Ｃ６０］に記載の装置。
［Ｃ６７］
第２のワイヤレスデバイスが干渉の影響を受ける場合、前記第１の反復時間期間の間に第２のワイヤレスデバイスに１つまたは複数のメッセージを送信するための手段と、
前記第２のワイヤレスデバイスが干渉の影響を受けない場合、前記第２の反復時間期間の間に前記第２のワイヤレスデバイスに１つまたは複数のメッセージを送信するための手段と
をさらに備える、［Ｃ６６］に記載の装置。
［Ｃ６８］
前記第１または第２の反復時間期間が発生するときを示すメッセージを、前記ワイヤレスデバイスに送信するための手段をさらに備える、
［Ｃ６６］に記載の装置。
［Ｃ６９］
前記メッセージは、ブロードキャストされる、
［Ｃ６８］に記載の装置。
［Ｃ７０］
前記メッセージは、前記ワイヤレスデバイスが干渉の影響を受ける場合に前記ワイヤレスデバイスに送信される、
［Ｃ６８］に記載の装置。
［Ｃ７１］
前記インジケーションは、ビーコン間隔に基づく、
［Ｃ６８］に記載の装置。
［Ｃ７２］
前記メッセージは、ビーコンメッセージである、
［Ｃ７１］に記載の装置。
［Ｃ７３］
前記第１または第２の時間期間の前記インジケーションは、ビーコンメッセージのタイミングに関連するものである、
［Ｃ７１］に記載の装置。
［Ｃ７４］
メッセージをアクセスポイントに送信するための手段をさらに備え、前記メッセージは、前記第１または第２の反復時間期間が発生するときを示す、
［Ｃ６６］に記載の装置。
［Ｃ７５］
メッセージをアクセスポイントから受信するための手段をさらに備え、前記メッセージは、前記第１または第２の反復時間期間を示す、
［Ｃ６６］に記載の装置。
［Ｃ７６］
第１の数のアクセスポイントは、前記第１の反復時間期間の間に通信し、第２の数のアクセスポイントは、前記第２の反復時間期間の間に通信し、前記第１の数は、前記第２の数より小さい、
［Ｃ６６］に記載の装置。
［Ｃ７７］
第１の周波数帯域を決定するための手段をさらに備え、前記第１の反復時間期間の間に送信されるメッセージは、前記第１の周波数帯域内で送信され、アクセスポイントは、前記第１の反復時間期間の間に第２の周波数帯域内で通信する、
［Ｃ６６］に記載の装置。
［Ｃ７８］
前記第１の周波数帯域を前記決定するための手段は、前記第１の周波数帯域をランダムに選択することに対して構成される、
［Ｃ７７］に記載の装置。
［Ｃ７９］
前記第１の周波数帯域を前記決定するための手段は、第２のアクセスポイントとの通信に基づいて前記第１の周波数帯域を決定するように構成される、
［Ｃ７７］に記載の装置。
［Ｃ８０］
前記第１の反復時間期間の間の通信を前記第１の周波数帯域に割り当てるメッセージを受信するための手段をさらに備え、前記決定することは、前記受信されたメッセージに基づく、
［Ｃ７９］に記載の装置。
［Ｃ８１］
前記第１の周波数帯域は、プライマリチャネルに対応する、
［Ｃ７７］に記載の装置。
［Ｃ８２］
複数の候補反復時間期間を決定するための手段と、
前記複数の候補反復時間期間から前記第１の反復時間期間をランダムに選択するための手段と
をさらに備える、［Ｃ６６］に記載の装置。
［Ｃ８３］
ネットワーク負荷に基づいて前記第１または第２の反復時間期間の持続時間を決定するための手段をさらに備える、
［Ｃ６７］に記載の装置。
［Ｃ８４］
関連する局によるＭＣＳ０接続要求不成功の数に基づいて前記第１または第２の反復時間期間の持続時間を決定するための手段をさらに備える、
［Ｃ６７］に記載の装置。
［Ｃ８５］
前記送信属性の調整の後、前記ワイヤレスデバイスとの通信をモニタするための手段と、
前記ワイヤレスデバイスを、前記モニタすることに基づいて多重パラメータの第３のセットと関連付けるための手段と、
前記多重パラメータの第２のセットに基づいて前記送信属性をさらに調整するための手段と
をさらに備える、［Ｃ６０］に記載の装置。
［Ｃ８６］
前記多重パラメータの第１のセットによって示される第１の周波数帯域は、多重パラメータの前記第３のセットによって示される第２の周波数帯域とは異なる、
［Ｃ８５］に記載の装置。
［Ｃ８７］
１つまたは複数のアクセスポイントとの通信に基づいて周波数スケジュールを決定するための手段をさらに備え、前記さらに調整することは、少なくとも前記周波数スケジュールに基づく、
［Ｃ８６］に記載の装置。
［Ｃ８８］
前記周波数スケジュールは、反復時間期間または周波数帯域の数、反復時間期間または周波数帯域のサイズまたは持続時間、反復時間期間または周波数帯域のセットに対する時間基準のうちの１つまたは複数を示す、
［Ｃ８７］に記載の装置。
［Ｃ８９］
実行されたとき、プロセッサに、キャリア検知多重アクセス（ＣＳＭＡ）を利用する媒体上で第１のワイヤレスデバイスから第２のワイヤレスデバイスにワイヤレスメッセージを送信するための方法を実行させる命令を備えるコンピュータ可読記憶媒体であって、前記方法は、
前記第２のワイヤレスデバイスが干渉の影響を受けるかどうかを決定することと、
前記第２のワイヤレスデバイスを、前記決定することに基づいて多重パラメータの少なくとも２つのセットのうちの１つと関連付けることと、
前記第２のワイヤレスデバイスが関連付けられた多重パラメータの前記セットに基づいて、送信属性を調整することと、
前記調整された送信属性に基づいて前記第２のワイヤレスデバイスにメッセージを送信することと
を備える、コンピュータ可読記憶媒体。
［Ｃ９０］
前記第１のワイヤレスデバイスから前記第２のワイヤレスデバイスまでの距離、前記第１のワイヤレスデバイスと第２のワイヤレスデバイスとの間の通信と関連付けられたネットワーク統計、および前記第１のワイヤレスデバイスと前記第２のワイヤレスデバイスとの間のワイヤレスリンクの条件またはトポロジーのより多くのうちの１つまたは複数に基づいて、前記第２のワイヤレスデバイスが干渉の影響を受けるかどうかを決定することをさらに備える、
［Ｃ８９］に記載のコンピュータ可読記憶媒体。
［Ｃ９１］
前記ネットワーク統計は、パケット誤り率、前記第２のワイヤレスデバイスから受信されたメッセージの送信電力、および前記第２のワイヤレスデバイスの実際のまたは企てられたスループットのうちの１つまたは複数を備える、
［Ｃ９０］に記載のコンピュータ可読記憶媒体。
［Ｃ９２］
前記方法は、前記パケット誤り率が誤りしきい値を超える場合に前記第２のワイヤレスデバイスが干渉の影響を受けるものと決定することをさらに備える、
［Ｃ９１］に記載のコンピュータ可読記憶媒体。
［Ｃ９３］
前記ネットワーク統計は、前記第２のワイヤレスデバイスの信号強度を備える、
［Ｃ９０］に記載のコンピュータ可読記憶媒体。
［Ｃ９４］
前記方法は、前記信号強度が強度しきい値を下回る場合に前記第２のワイヤレスデバイスが干渉の影響を受けるものと決定することをさらに備える、
［Ｃ９３］に記載のコンピュータ可読記憶媒体。
［Ｃ９５］
前記方法は、
前記第２のワイヤレスデバイスが干渉の影響を受ける場合、第１の反復時間期間の間に前記第２のワイヤレスデバイスに１つまたは複数のメッセージを送信することと、
前記第２のワイヤレスデバイスが干渉の影響を受けない場合、第２の反復時間期間の間に前記第２のワイヤレスデバイスに１つまたは複数のメッセージを送信することと
をさらに備える、［Ｃ８９］に記載のコンピュータ可読記憶媒体。
［Ｃ９６］
前記方法は、
第３のワイヤレスデバイスが干渉の影響を受ける場合、前記第１の反復時間期間の間に前記第３のワイヤレスデバイスに１つまたは複数のメッセージを送信することと、
前記第３のワイヤレスデバイスが干渉の影響を受けない場合、前記第２の反復時間期間の間に前記第３のデバイスに１つまたは複数のメッセージを送信することと
をさらに備える、［Ｃ９５］に記載のコンピュータ可読記憶媒体。
［Ｃ９７］
前記方法は、前記第１または第２の反復時間期間が発生するときを示すメッセージを、前記第２のワイヤレスデバイスに送信することをさらに備える、
［Ｃ９５］に記載のコンピュータ可読記憶媒体。
［Ｃ９８］
前記メッセージは、ブロードキャストされる、
［Ｃ９７］に記載のコンピュータ可読記憶媒体。
［Ｃ９９］
前記メッセージは、前記第２のワイヤレスデバイスが干渉の影響を受ける場合に前記第２のワイヤレスデバイスに送信される、
［Ｃ９７］に記載のコンピュータ可読記憶媒体。
［Ｃ１００］
前記インジケーションは、ビーコン間隔に基づく、
［Ｃ９６］に記載のコンピュータ可読記憶媒体。
［Ｃ１０１］
前記メッセージは、ビーコンメッセージである、
［Ｃ１００］に記載のコンピュータ可読記憶媒体。
［Ｃ１０２］
前記第１または第２の時間期間の前記インジケーションは、ビーコンメッセージのタイミングに関連するものである、
［Ｃ１００］に記載のコンピュータ可読記憶媒体。
［Ｃ１０３］
前記方法は、メッセージをアクセスポイントに送信することをさらに備え、前記メッセージは、前記第１または第２の反復時間期間が発生するときを示す、
［Ｃ９５］に記載のコンピュータ可読記憶媒体。
［Ｃ１０４］
前記方法は、メッセージをアクセスポイントから受信することをさらに備え、前記メッセージは、前記第１または第２の反復時間期間を示す、
［Ｃ９５］に記載のコンピュータ可読記憶媒体。
［Ｃ１０５］
第１の数のアクセスポイントは、前記第１の反復時間期間の間に通信し、第２の数のアクセスポイントは、前記第２の反復時間期間の間に通信し、前記第１の数は、前記第２の数より小さい、
［Ｃ９５］に記載のコンピュータ可読記憶媒体。
［Ｃ１０６］
前記方法は、第１の周波数帯域を決定することをさらに備え、前記第１の反復時間期間の間に送信されるメッセージは、前記第１の周波数帯域内で送信され、第３のアクセスポイントは、前記第１の反復時間期間の間に第２の周波数帯域内で通信する、
［Ｃ９５］に記載のコンピュータ可読記憶媒体。
［Ｃ１０７］
前記第１の周波数帯域をランダムに選択することによって前記第１の周波数帯域について決定することをさらに備える、
［Ｃ１０６］に記載のコンピュータ可読記憶媒体。
［Ｃ１０８］
第２のアクセスポイントとの通信に基づいて前記第１の周波数帯域について決定することをさらに備える、
［Ｃ１０６］に記載のコンピュータ可読記憶媒体。
［Ｃ１０９］
前記方法は、前記第１の反復時間期間の間の通信を前記第１の周波数帯域に割り当てるメッセージを受信することをさらに備え、前記決定することは、前記受信されたメッセージに基づく、
［Ｃ１０８］に記載のコンピュータ可読記憶媒体。
［Ｃ１１０］
前記第１の周波数帯域がプライマリチャネルであるものと決定することをさらに備える、
［Ｃ１０６］に記載のコンピュータ可読記憶媒体。
［Ｃ１１１］
前記方法は、
複数の候補反復時間期間を決定することと、
前記複数の候補反復時間期間から前記第１の反復時間期間をランダムに選択することと
をさらに備える、［Ｃ９５］に記載のコンピュータ可読記憶媒体。
［Ｃ１１２］
前記方法は、ネットワーク負荷に基づいて前記第１または第２の反復時間期間の持続時間を決定することをさらに備える、
［Ｃ９６］に記載のコンピュータ可読記憶媒体。
［Ｃ１１３］
前記方法は、関連する局によるＭＣＳ０接続要求不成功の数に基づいて前記第１または第２の反復時間期間の持続時間を決定することをさらに備える、
［Ｃ９６］に記載のコンピュータ可読記憶媒体。
［Ｃ１１４］
前記方法は、
前記送信属性の調整の後、前記第２のワイヤレスデバイスとの通信をモニタすることと、
前記第２のワイヤレスデバイスを、前記モニタすることに基づいて多重パラメータの第３のセットと関連付けることと、
多重パラメータの前記第３のセットに基づいて前記送信属性をさらに調整することと、
前記さらに調整された送信属性に基づいて前記第２のワイヤレスデバイスにメッセージを送信することと
をさらに備える、［Ｃ８９］に記載のコンピュータ可読記憶媒体。
［Ｃ１１５］
前記多重パラメータの第１のセットによって示される第１の周波数帯域は、多重パラメータの前記第３のセットによって示される第２の周波数帯域とは異なるものと決定することをさらに備える、
［Ｃ１１４］に記載のコンピュータ可読記憶媒体。
［Ｃ１１６］
１つまたは複数のアクセスポイントとの通信に基づいて周波数スケジュールを決定することをさらに備え、前記さらに調整することは、少なくとも前記周波数スケジュールに基づく、
［Ｃ１１５］に記載のコンピュータ可読記憶媒体。
［Ｃ１１７］
前記周波数スケジュールは、反復時間期間または周波数帯域の数、反復時間期間または周波数帯域のサイズまたは持続時間、反復時間期間または周波数帯域のセットに対する時間基準のうちの１つまたは複数を示す、
［Ｃ１１６］に記載のコンピュータ可読記憶媒体。
［Ｃ１１８］
キャリア検知多重アクセス（ＣＳＭＡ）を利用する媒体上でワイヤレスメッセージを送信する方法であって、
前記第１のデバイスを介して、第１の反復時間期間を示す第１のメッセージを受信すること、前記第１の反復時間期間は、コンテンション期間内に発生し、前記第１のメッセージは、第１のデバイスとアクセスポイントとの間の通信が前記第１の反復時間期間の間に発生することを示す、と、
前記第１のデバイスを介して、前記第１のメッセージに基づいて前記第１の反復時間期間の間に前記アクセスポイントと通信することと
を備える、方法。
［Ｃ１１９］
第１の周波数範囲を示す第２のメッセージを受信することをさらに備え、前記第２のメッセージは、前記アクセスポイントとの通信が前記第１の反復時間期間の前記第１の周波数範囲内で発生することを示し、前記アクセスポイントとの通信は、前記第２のメッセージに基づいて、前記第１の反復時間期間の間および前記第１の周波数範囲内で発生する、
［Ｃ１１８］に記載の方法。
［Ｃ１２０］
前記第１の反復時間期間は、前記コンテンション期間の一部の中だけで発生する、
［Ｃ１１８］に記載の方法。
［Ｃ１２１］
前記第１のデバイスを介して、第２の反復時間期間を示す第２のメッセージを受信すること、前記第２の反復時間期間は、前記コンテンション期間内に発生し、前記第２のメッセージは、前記第１のデバイス以外の１つまたは複数のデバイスとアクセスポイントとの間の通信が前記第２の反復時間期間の間に発生することを示す、と、
前記第１のデバイスを介して、前記第２のメッセージに基づいて前記第２の反復時間期間の間に前記アクセスポイントと通信しないこととをさらに備える、
［Ｃ１１８］に記載の方法。
［Ｃ１２２］
前記第１のメッセージおよび前記第２のメッセージは、同じメッセージである、
［Ｃ１１９］に記載の方法。
［Ｃ１２３］
キャリア検知多重アクセス（ＣＳＭＡ）を利用する媒体上でワイヤレスメッセージを送信するための装置であって、
コンテンション期間内に発生する第１の反復時間期間を示す第１のメッセージを受信するように構成された受信機、前記メッセージは、アクセスポイントとの通信が前記第１の反復時間期間の間に発生することを示す、と、
前記メッセージに基づいて前記第１の反復時間期間の間に前記アクセスポイントと通信するように構成された送信機と
を備える、装置。
［Ｃ１２４］
第１の周波数範囲を示す第２のメッセージを受信するように構成された受信機をさらに備え、前記第２のメッセージは、アクセスポイントとの通信が前記第１の反復時間期間の前記第１の周波数範囲内で発生することを示し、前記送信機は、前記第２のメッセージに基づいて、前記第１の反復時間期間の間および前記第１の周波数範囲内で前記アクセスポイントと通信するようにさらに構成される、
［Ｃ１２３］に記載の装置。
［Ｃ１２５］
前記第１のメッセージおよび前記第２のメッセージは、同じメッセージである、
［Ｃ１２４］に記載の装置。
［Ｃ１２６］
前記第１の反復時間期間は、前記コンテンション期間の一部の中だけで発生する、
［Ｃ１２３］に記載の装置。
［Ｃ１２７］
前記第１のデバイスを介して、第２の反復時間期間を受信すること、前記第２の反復時間期間は、前記コンテンション期間内に発生し、前記第２のメッセージは、前記第１のデバイス以外の１つまたは複数のデバイスとアクセスポイントとの間の通信が前記第２の反復時間期間の間に発生することを示す、と、
前記第１のデバイスを介して、前記第２のメッセージに基づいて前記第２の反復時間期間の間に前記アクセスポイントと通信しないこととをさらに備える、
［Ｃ１２３］に記載の装置。
［Ｃ１２８］
キャリア検知多重アクセス（ＣＳＭＡ）を利用する媒体上でワイヤレスメッセージを送信するための装置であって、
第１の反復時間期間を示す第１のメッセージを受信するための手段、前記第１の反復時間期間は、コンテンション期間内に発生し、前記メッセージは、アクセスポイントとの通信が前記第１の反復時間期間の間に発生することを示す、と、
前記メッセージに基づいて前記第１の反復時間期間の間に前記アクセスポイントと通信するための手段と
を備える、装置。
［Ｃ１２９］
第１の周波数範囲を示す第２のメッセージを受信するための手段をさらに備え、前記第２のメッセージは、アクセスポイントとの通信が前記第１の反復時間期間の前記第１の周波数範囲内で発生することを示し、前記通信するための手段は、前記第２のメッセージに基づいて、前記第１の反復時間期間の間および前記第１の周波数範囲内で前記アクセスポイントと通信するようにさらに構成される、
［Ｃ１２８］に記載の装置。
［Ｃ１３０］
前記第１のメッセージおよび前記第２のメッセージは、同じメッセージである、
［Ｃ１２９］に記載の装置。
［Ｃ１３１］
前記第１の反復時間期間は、前記コンテンション期間の一部の中だけで発生する、
［Ｃ１２８］に記載の装置。
［Ｃ１３２］
前記第１のデバイスを介して、第２の反復時間期間を示す第２のメッセージを受信すること、前記第２の反復時間期間は、前記コンテンション期間内に発生し、前記第２のメッセージは、前記第１のデバイス以外の１つまたは複数のデバイスとアクセスポイントとの間の通信が前記第２の反復時間期間の間に発生することを示す、と、
前記第１のデバイスを介して、前記第２のメッセージに基づいて前記第２の反復時間期間の間に前記アクセスポイントと通信しないことと
をさらに備える、［Ｃ１２８］に記載の装置。
［Ｃ１３３］
実行されたとき、プロセッサに、キャリア検知多重アクセス（ＣＳＭＡ）を利用する媒体上でワイヤレスメッセージを送信するための方法を実行させる命令を備え、前記方法は、
第１の反復時間期間を示す第１のメッセージを受信すること、前記第１の反復時間期間は、コンテンション期間内に発生し、前記メッセージは、アクセスポイントとの通信が前記第１の反復時間期間の間に発生することを示す、と、
前記メッセージに基づいて前記第１の反復時間期間の間に前記アクセスポイントと通信することと
を備えるコンピュータ可読記憶媒体。
［Ｃ１３４］
前記方法が、
第１の周波数範囲を示す第２のメッセージを受信することをさらに備え、前記第２のメッセージは、アクセスポイントとの通信が前記第１の反復時間期間の前記第１の周波数範囲内で発生することを示し、前記アクセスポイントとの通信は、前記第１の反復時間期間の間および前記第１の周波数範囲内で発生する、
［Ｃ１３３］に記載のコンピュータ可読記憶媒体。
［Ｃ１３５］
前記第１のメッセージおよび前記第２のメッセージは、同じメッセージである、
［Ｃ１３４］に記載のコンピュータ可読記憶媒体。
［Ｃ１３６］
前記第１の反復時間期間は、前記コンテンション期間の一部の中だけで発生する、
［Ｃ１３３］に記載のコンピュータ可読記憶媒体。
［Ｃ１３７］
前記第１のデバイスを介して、第２の反復時間期間を示す第２のメッセージを受信すること、前記第２の反復時間期間は、前記コンテンション期間内に発生し、前記第２のメッセージは、前記第１のデバイス以外の１つまたは複数のデバイスとアクセスポイントとの間の通信は、前記第２の反復時間期間の間に発生することを示す、と、
前記第１のデバイスを介して、前記第２のメッセージに基づいて前記第２の反復時間期間の間に前記アクセスポイントと通信しないことと
をさらに備える、［Ｃ１３３］に記載のコンピュータ可読記憶媒体。
【図１】
0006416220.tif 000002
【図２Ａ】
0006416220.tif 000003
【図２Ｂ】
0006416220.tif 000004
【図３】
0006416220.tif 000005
【図４】
0006416220.tif 000006
【図５Ａ】
0006416220.tif 000007
【図５Ｂ】
0006416220.tif 000008
【図５Ｃ】
0006416220.tif 000009
【図６Ａ】
0006416220.tif 000010
【図６Ｂ】
0006416220.tif 000011
【図６Ｃ】
0006416220.tif 000012
【図７Ａ】
0006416220.tif 000013
【図７Ｂ】
0006416220.tif 000014
【図７Ｃ】
0006416220.tif 000015
【図７Ｄ】
0006416220.tif 000016
【図７Ｅ】
0006416220.tif 000017
【図７Ｆ】
0006416220.tif 000018
【図７Ｇ】
0006416220.tif 000019
【図７Ｈ】
0006416220.tif 000020
【図８Ａ】
0006416220.tif 000021
【図８Ｂ】
0006416220.tif 000022
【図９Ａ】
0006416220.tif 000023
【図９Ｂ】
0006416220.tif 000024